【手続補正書】
【提出日】平成18年8月10日(2006.8.10)
【手続補正１】
【補正対象書類名】明細書
【補正対象項目名】０００３
【補正方法】変更
【補正の内容】
【０００３】２．個人固有の咬合の発現と個人個人が快適に睡眠をとることができる性状を持った個人固有の枕で睡眠をとりながらの成長との間に認められる関係図（図１から図１７）と説明文を解析資料にして、個人固有の咬合の観察から、個人個人が方向性のある強い圧力で常に枕に接触固定させる部分の個人固有の「枕への接触固定領域」を解析する。
３．２で得られた解析結果を１で用意した、成長期、特定の咬合様式に個人差を生じさせる１５種類の支点領域の図と、頚部の側方に位置する支点領域を１６分割した左右の図（図１６）に上書きし、個人固有の「方向性のある強い圧力で枕に接触固定させる領域」を作成する。
【手続補正２】
【補正対象書類名】明細書
【補正対象項目名】００１０
【補正方法】変更
【補正の内容】
【００１０】１．「個人固有の咬合の成り立ち」の真相
個人固有の咬合の成り立ちは、基本的に、就眠時の呼吸法を条件として、誰もが、誕生直後から生後９０日までの期間に、親によって付与された就眠時における頭頚部の安静形態での睡眠を余儀なくさせられたことに起因する人為的な現象結果である。
【手続補正３】
【補正対象書類名】明細書
【補正対象項目名】００１１
【補正方法】追加
【補正の内容】
【００１１】２．個人固有の咬合の意味
個人固有の咬合は、就眠時の呼吸法を条件として、個人固有の就眠時における頭頚部の安静形態を反映した成長経歴である。
【手続補正４】
【補正対象書類名】明細書
【補正対象項目名】００１５
【補正方法】追加
【補正の内容】
【００１５】６．個人固有の枕、個人固有の就眠時における頭頚部の安静形態と個人固有の咬合との関係
＃１．  個人固有の枕、個人固有の就眠時における頭頚部の安静形態と個人固有の咬合には、因果関係が存在する、
＃２．  個人固有の咬合の成り立ちと快適に睡眠をとることができる性状を持った個人固有の枕で睡眠をとりながらの成長とには因果関係が存在する。
【手続補正５】
【補正対象書類名】明細書
【補正対象項目名】００２２
【補正方法】変更
【補正の内容】
【００２２】前記の２つの研究ドキュメント
研究ドキュメント１：  「個人固有の咬合の成り立ち」の真相
導入部
ヒトの咬合は、個人間で著しく異なっている。そのため、咬合の成り立ちに関する研究が多くの研究者によって長いこと行なわれてきたが、これらの研究は、未だ結論を下せるまでに至っていない。ただし、個人個人の咬合は、遺伝、進化、あるいは食生活の急激な変化という多くの要因の複合的な関与が原因であるというのが普遍的な見解である。しかし、新しい科学的な発見により、このような見解がまったくの誤りであり、個人固有の咬合の成り立ちは、基本的に、就眠時の呼吸法を条件として、誰もが、誕生直後から生後９０日までの期間に、親によって付与された就眠時における頭頚部の安静形態での睡眠を余儀なくさせられたことに起因する人為的な現象結果であることが科学的に明らかになった。
【手続補正６】
【補正対象書類名】明細書
【補正対象項目名】００３６
【補正方法】変更
【補正の内容】
【００３６】ａ）  上顎（下顎）前歯の被蓋（垂直被蓋と水平被蓋）、上下顎前歯の唇舌的な傾斜と遠心部がねじれて唇側に張り出している上顎中切歯
１．  就眠時における呼吸法を条件に、後頭部の上方に位置する支点領域、後頭部の上方下部に位置する支点領域、後頭結節の上方に位置する支点領域、後頭結節に位置する支点領域と第７頚椎の直上に位置する支点領域のうちのいずれかの支点領域を所有している人たち、前歯部の咬合様式（正常咬合、上顎前歯の垂直被蓋、上顎前歯の水平被蓋、上下顎前歯の傾斜と外側がねじれて唇側に張り出している上顎中切歯）と枕の性状との間には、関係が存在する。（図１）
２．  就眠時における呼吸法を条件に、頚部の中央に位置する支点領域を所有し、さらに後頭部の上方下部に位置する支点領域、後頭結節の上方に位置する支点領域、後頭結節に位置する支点領域のうちのいずれかの支点領域を所有している人たち、前歯部の咬合様式（反対咬合、下顎前歯の垂直被蓋、下顎前歯の水平被蓋と上下顎前歯の傾斜）と枕の性状との間には、関係が存在する。（図１）
【手続補正７】
【補正対象書類名】明細書
【補正対象項目名】００３７
【補正方法】変更
【補正の内容】
【００３７】ｂ）  歯の大きさ
頚部の側方に位置する支点領域（左右対称）、この解剖学的な因子と枕の性状との間には、この支点領域の分類方法によって関係が存在する。
１．左右にある頚部の側方に位置する支点領域をひとつの単位で見た時、この支点領域の広さの度合い、大きな歯と小さな歯の分布状態と枕の性状との間には、次のような関係が存在する。（図４）
＃１．この支点領域を全域で所有している人たちは、すべての歯が極めて小さく、この支点領域の全域に方向性のある強い圧力を加えることができる枕（流動性の極めて高い性状の枕か変形させやすい性状の枕）を使用している。
＃２．頚部の側方に位置する支点領域をまったく所有していない人たちは、すべての歯が極めて大きく、この支点領域に方向性のある強い圧力を加えることができない枕（流動性のない素材でできた硬い枕か変形させ難い素材でできた枕）を使用している。
＃３．頚部の側方に位置する支点領域をいくつかの部分で所有している人たちは、大きな歯が多くて小さな歯が少なく、この支点領域のいくつかの部分に方向性のある強い圧力を枕の上に置いた手、あるいは指、あるいは腕で加えることができる枕（あまり流動性のない素材でできた枕か比較的変形させ難い素材でできた枕）を使用している。
＃４．頚部の側方に位置する支点領域を比較的広い部分で所有している人たちは、小さな歯が多くて大きな歯が少なく、この支点領域の比較的広い部分に方向性のある強い圧力を加えることができる枕（比較的流動性のある素材でできた枕か比較的変形させ易い素材でできた枕）を使用している。
２．右側（あるいは左側）の頚部の側方に位置する支点領域を８つの部分に分割した時、右側（あるいは左側）の頚部の側方に位置する支点領域内にある８つの特定部分と右側（あるいは左側）の特定上下顎同一名称歯の大きさとの間には相関関係が存在する。（図５）
また、右側（あるいは左側）の頚部の側方に位置する支点領域内にある特定部分と右側（あるいは左側）の特定上下顎同一名称歯の大きさと枕の性状との間には、次のような関係が存在する。（左右対称）
＃１．右側（あるいは左側）のこの支点領域内にある特定部分を全域で所有している人たちは、右側（あるいは左側）特定の上下顎同一名称歯が極めて小さく、直接、あるいは間接的にこのこの支点領域内にある特定部分の全域に方向性のある強い圧力を加えることができる枕を使用している。間接的にこの支点領域内にある特定部分に方向性のある強い圧力を加えることができる枕とは、枕の上に乗せた手、あるいは指、あるいは腕で特定部分に圧力を加えることができる枕のことである。
＃２．右側（あるいは左側）のこの支点領域内にある特定部分を所有していない人たちは、右側（あるいは左側）特定の上下顎同一名称歯が極めて大きく、この支点領域内にある特定部分に方向性のある強い圧力を加えることができない枕を使用している。
３．右側（あるいは左側）の頚部の側方に位置する支点領域を１６の部分に分割した時、右側（あるいは左側）の頚部の側方に位置する支点領域内にある１６の特定部分と右側（あるいは左側）の特定の歯の大きさとの間には相関関係が存在する。（図６）
また、右側（あるいは左側）の頚部の側方に位置する支点領域を１６の部分に分割した時、右側（あるいは左側）の頚部の側方に位置する支点領域内にある特定部分の広さと右側（あるいは左側）の特定の歯の大きさと枕の性状との間には、次のような関係が存在する。
＃１．右側（あるいは左側）のこの支点領域内にある特定部分を全域で所有している人たちは、右側（あるいは左側）の特定の歯が小さく、この支点領域内にある特定部分の全域に直接、あるいは間接的に方向性のある強い圧力を加えることができる枕を使用している。間接的にこの支点領域内にある特定部分に方向性のある強い圧力を加えることができる枕とは、枕の上に手、あるいは腕を乗せて手、あるいは指、あるいは腕でこの支点領域内にある特定部分に圧力を加えることができる枕のことである。
＃２．右側（あるいは左側）のこの支点領域内にある特定部分を比較的広い範囲で所有している人たちは、右側（あるいは左側）の特定の歯が比較的小さく、この支点領域内にある特定部分の比較的広い範囲に方向性のある強い圧力を加えることができる枕を使用しているか、間接的にこの支点領域内にある特定部分に方向性のある強い圧力を加えることができる枕を使用している。
＃３．右側（あるいは左側）のこの支点領域内にある特定部分を比較的狭い範囲で所有している人たちは、右側（あるいは左側）の特定の歯が比較的大きく、この支点領域内にある特定部分の比較的狭い範囲にしか方向性のある強い圧力を加えることができない枕を使用しているか、間接的にこの支点領域内にある特定部分に方向性のある強い圧力を加えることができる枕を使用している。
＃４．右側（あるいは左側）のこの支点領域内にある特定部分を所有していない人たちは、右側（あるいは左側）の特定の歯が極めて大きく、この支点領域内にある特定部分に方向性のある強い圧力を加えることができない枕を使用しているか、枕を使用していない。
４．頚部の側方に位置する支点領域内にある８つの部分の解剖学的な位置は、８つの特定部分と頭頚部における骨格（あるいは筋肉）との関係で表示できる。（図７）
【手続補正８】
【補正対象書類名】明細書
【補正対象項目名】００３８
【補正方法】変更
【補正の内容】
【００３８】    ｃ）  上顎前歯の長さ
頚部の上方に位置する支点領域、この解剖学的な因子と枕の性状との間には、次のような関係が存在する。（図８）
１．頚部の上方に位置する支点領域を全域で所有している人は、極めて短い上顎前歯を持ち、この領域に方向性のある強い圧力を加えることができる形状の枕を使用している。
２．頚部の上方に位置する支点領域を比較的広い範囲で所有する人は、比較的短い上顎前歯を持ち、この支点領域の比較的広い範囲に方向性のある強い圧力を加えることができる形状の枕を使用している。
３．頚部の上方に位置する支点領域をまったく所有しない人は、極めて長い上顎前歯を持ち、この支点領域に方向性のある強い圧力を加えることができない形状の枕を使用している。
【手続補正９】
【補正対象書類名】明細書
【補正対象項目名】００４４
【補正方法】変更
【補正の内容】
【００４４】    ｉ）  上下顎前歯の唇舌的な傾斜、上顎前歯の被蓋（垂直被蓋と水平被蓋）と遠心部がねじれて唇側に張り出している上顎中切歯
Ａ．就眠時の呼吸法が常に鼻呼吸であることを条件とした場合
肩の背面に位置する支点領域を所有している人、唇側に傾斜した上下の前歯と大きな枕（複数の枕を使用することが多い）との間、あるいは首の付け根の側方に位置する支点領域を所有している人、舌側に傾斜した上下の前歯と首と肩の間に差し込み、抱きかかえるようにして使用できる枕との間には関係が存在する。（図１４）
Ｂ．就眠時の呼吸法が常に鼻呼吸であることを条件として、肩の背面に位置する支点領域を所有している人、あるいは首の付け根の側方に位置する支点領域を所有している人に対し、その支点領域の広さという条件を新たに加えた場合
肩の背面に位置する支点領域の広さ、唇側に傾斜した上下の前歯の「傾斜の度合い」と枕の性状、あるいは首の付け根の側方に位置する支点領域の広さ、舌側に傾斜した上下の前歯の「傾斜の度合い」と枕の性状との間には次のような関係が存在する。（図１４）
１．肩の背面に位置する支点領域を全域で所有している人は、極めて強く唇側に傾斜した上下の前歯を所有し、大きくて、肩の背面の下部にまで接触させる枕（複数の枕を使用することが多い）を使用している。
２．肩の背面に位置する支点領域を狭い領域で所有している人は、弱く唇側に傾斜した上下の前歯を所有し、大きくて、肩の背面の上部に接触させる枕（複数の枕を使用することが多い）を使用している。
３．首の付け根の側方に位置する支点領域を全域で所有する人は、極めて強く舌側に傾斜した上下の前歯を所有し、首と肩の間に差し込み、広い範囲で抱きかかえるようにして使用できる枕を使用している。
４．首の付け根の側方に位置する支点領域を狭い領域で所有する人は、弱く舌側に傾斜した上下の前歯を所有し、首と肩の間に差し込み、狭い範囲で抱きかかえるようにして使用できる枕を使用している。
Ｃ．就眠時の呼吸法を条件とした場合
１）  肩の背面に位置する支点領域を所有し、さらに後頭部の上方に位置する支点領域、後頭部の上方下部に位置する支点領域、後頭結節の上方に位置する支点領域、後頭結節に位置する支点領域と第７頚椎の直上に位置する支点領域のいずれかの支点領域を所有している人、前歯の咬合様式（正常咬合、上顎前歯の垂直被蓋、上顎前歯の水平被蓋、唇側に傾斜した上下顎前歯と外側がねじれて唇側に張り出している上顎中切歯）と枕の性状との間には、関係が存在する。（図１５）
２）  首の付け根の側方に位置する支点領域を所有し、さらに後頭部の上方に位置する支点領域、後頭部の上方下部に位置する支点領域、後頭結節の上方に位置する支点領域、後頭結節に位置する支点領域と第７頚椎の直上に位置する支点領域のいずれかの支点領域を所有している人、前歯の咬合様式（正常咬合、上顎前歯の垂直被蓋、上顎前歯の水平被蓋、舌側に傾斜した上下顎前歯、舌側に傾斜した下顎前歯と外側がねじれて唇側に張り出している上顎中切歯）と枕の性状との間には、関係が存在する。（図１５）
【手続補正１０】
【補正対象書類名】明細書
【補正対象項目名】００５４
【補正方法】変更
【補正の内容】
【００５４】    作用因子
個人固有の枕、個人固有の就眠時における頭頚部の安静形態と個人固有の咬合の関係から、個人個人の咬合を形成する二つの作用因子の存在とその形成のメカニズムが明らかになった。
（ａ）  二つの作用因子
ｉ．（Ｒ−ＨＮ）に由来する作用因子
この作用因子は、枕などへの接触固定領域である「肩の背面をも含む場合がある頭部と頚部」の表皮にモザイク状に認められる支点領域群のことである。  （図１６ｘの１）
オトガイの側方の支点領域を除く支点領域群は、「成長期の就眠時に、特定の支点領域内に常に加えられる方向性のある強い圧力に反応して、特異な方法で、就眠時の呼吸法に関係しない特定の解剖学的な因子の形態を特定の形態に形成させる特異な生体の機能」を制御している個所である。ただし、これらの支点領域が解剖学的な因子に作用する方法は、支点領域の存在位置によって異なる。また、多くの支点領域は、作用に関する条件を持っていないが、一部の支点領域は、作用する時の優先権、あるいは作用させるためには必ず同一支点領域を左右で所有しなければならないという作用に関する条件を持っている。そればかりか、各支点領域が解剖学的な因子に作用する度合いは、支点領域の広さで異なり、その内容は、支点領域内での存在部位で異なる。
【手続補正１１】
【補正対象書類名】明細書
【補正対象項目名】０１１３
【補正方法】変更
【補正の内容】
【０１１３】システム３
生後三ヶ月間を経過すると、ヒトの赤ん坊の（Ｒ−ＨＮ）と（Ｒ−ＭＳ）の形成が、ヒトという種固有の形質により、完了させられる。その結果、ヒトの赤ん坊は、ヒト固有の安静維持機能の働きによって、母親など育児に携わる者の育児行為が頭頚部の特定領域の部分部分に方向性のある強い圧力、あるいは弱い圧力を加えたり、発生させられたりした内容を記憶（体得）させられ、常に、その特定領域（  個人個人の「枕への接触固定領域」  ）の部分部分に自ら同様の圧力を加える方法で睡眠を取ることを余儀なくさせられる。この時、就眠時、常に鼻で呼吸するほとんどすべての赤ん坊は、「舌による接触固定行為」を個人固有のタイプＲＴ−ＢＮで行うが、誕生直後から生後９０日までの期間に、慢性鼻疾患に罹患したことで、就眠時、常に口で呼吸するようになった赤ん坊は、この行為を個人固有のタイプＲＴ−ＢＭで行うことを余儀なくさせられる。
【手続補正１２】
【補正対象書類名】明細書
【補正対象項目名】０１３８
【補正方法】変更
【補正の内容】
【０１３８】（７）  ヒト固有の形質において、就眠時における全機能部の安静形態のなかで、最初に形成され、確立される機能部は、頭頚部であると結論した根拠は、次に挙げる二つの事実の解析結果による。
１）  １０２人を対象にした調査結果から明らかになった二つの事実
＃１．  額の中央外側に位置する支点領域と前頭部（額の中央上方）に位置する支点領域、あるいは、下顎に位置する支点領域（頬部を含む広い部分）を所有している人は、うつ伏せで睡眠を取ることができるが、それ以外の人は、うつ伏せで睡眠を取ることができない。ただし、額の中央外側に位置する支点領域と前頭部（額の中央上方）に位置する支点領域は、作用を持たない単なる支点領域である。
＃２．  中心部を含んだ形態で後頭部に位置する支点領域を所有する人たちが道路を横断する時、必ず、首と体を一緒に回転させて左右の確認を行う。この人たちは、仰向け時、常に、真正面を向いた形態で睡眠をとり、馬蹄形状をした上顎歯列アーチを所有している。
２）  解析結果：二つの事実から、頭頚部を除く、就眠時における機能部の安静形態は、そのすべてが、就眠時における頭頚部の安静形態に対応した形態で形成、確立されたと解析できる。このことは、すべての機能部の就眠時における安静形態のなかで、最初に形成され、確立される機能部は、頭頚部であることを意味する。
【手続補正１３】
【補正対象書類名】明細書
【補正対象項目名】０１４１
【補正方法】変更
【補正の内容】
【０１４１】  発明の実施の形態に基づき概要を説明する。
（１）  被験者が所有する個人固有の咬合の歯型模型を作成し、さらに頭部、頚部と肩の背面の表皮にモザイク状に存在し、成長期の就眠時に、常に加えられる方向性のある強い圧力に反応して、特定の咬合様式に個人差を生じさせる１５種類の支点領域の図と頚部の側方に位置する支点領域を１６分割した図（図１６）を用意する。
（２）  個人固有の咬合の発現と個人個人が快適に睡眠をとることができる性状を持った個人固有の枕で睡眠をとりながらの成長との間に認められる関係図（図１から図１７）と説明文を解析資料にして、被験者が所有する「個人固有の咬合の歯型模型」の詳細な観察から、被験者が所有する支点領域とその広さという被験者が強い圧力で常に枕に接触固定させる個人固有の「枕への接触固定領域」を次のように各支点領域単位で解析する。この時、被験者の頭部の形態を参考資料にする。
【手続補正１４】
【補正対象書類名】明細書
【補正対象項目名】０１４２
【補正方法】変更
【補正の内容】
【０１４２】ａ．  被験者が所有する前歯の垂直被蓋の度合いから、被験者は後頭部にある支点領域群（後頭部の上方に位置する支点領域、後頭部の上方下部に位置する支点領域、後頭結節の上方に位置する支点領域と後頭結節に位置する支点領域）と第７頚椎に位置する支点領域のうち、どの支点領域をどの部分で所有しているのかを解明する。
ｂ．  被験者が所有する前歯の被蓋関係（正常咬合、あるいは反対咬合）から、被験者の頚部の中央に位置する支点領域に関する情報を解明する。
ｃ．  被験者が所有する歯の大きさ（全体像と１本１本の歯）から、被験者の頚部の側方に位置する支点領域に関する情報を解明する。
ｄ．  被験者が所有する上顎前歯の長さから、被験者の頚部の上方に位置する支点領域に関する情報を解明する。
ｅ．  被験者が所有する「上顎犬歯が歯列アーチからはみ出した位置にある歯列」から、被験者の側頭部に位置する支点領域と頚部の側方に位置する支点領域に関する情報を解明する。
ｆ．  被験者が所有する上顎歯列アーチの大きさから、被験者の側頭部の上方に位置する支点領域と頚部の側方に位置する支点領域に関する情報を解明する。
ｇ．  被験者が所有する上顎歯列アーチの形態から、被験者の後頭部にある支点領域群（後頭部の上方に位置する支点領域、後頭部の上方下部に位置する支点領域、後頭結節の上方に位置する支点領域と後頭結節に位置する支点領域）、耳の後方上部に位置する支点領域、側頭部に位置する支点領域と首の付け根の側方に位置する支点領域に関する情報を解明する。
ｈ．  被験者が所有する臼歯の被蓋から、被験者のオトガイの側方に位置する支点領域に関する情報を解明する。
ｉ．  被験者が所有する臼歯の形態（尖り具合）から、被験者の下顎に位置する支点領域に位置する支点領域に関する情報を解明する。
ｊ．  被験者が所有する上下顎前歯の唇舌的な傾斜から、肩の背面に位置する支点領域と首の付け根の側方に位置する支点領域に関する情報を解明する。
ｋ．  欠如歯の有無から、頚部の側方に位置する支点領域に関する詳細な情報を解明する。
（被験者が欠如歯を所有している場合、この被験者は、頚部の側方に位置する支点領域で、特定名称の欠如歯に対応する特定部分に圧力を加えることができない。）
【手続補正１５】
【補正対象書類名】明細書
【補正対象項目名】０１４５
【補正方法】変更
【補正の内容】
【０１４５】（４）  （３）で得られた被験者固有の「強い圧力で枕に接触固定させる領域」のイラストをこの被験者の基礎資料にして、先の図（図１から図１７）と比較対照させながら、その説明文に従い、個人個人が快適に睡眠をとることができる個人固有の枕の性状（高さ、素材、大きさ、硬さと形状）を次のようにしてひとつずつ正確に解明する。
ａ）  枕の高さ
この高さは、次の支点領域に関する被験者の情報から解明する、
１．後頭部にある支点領域群（後頭部の上方に位置する支点領域、後頭部の上方下部に位置する支点領域、後頭結節の上方に位置する支点領域と後頭結節に位置する支点領域）（図１と図１６を参考）
２．第７頚椎の直上に位置する支点領域（図１と図１６を参考）
３．側頭部の上方に位置する支点領域
４．肩の背面に位置する支点領域（図１５と図１６を参考）
ｂ）  枕の素材
この素材は、次の支点領域に関する被験者の情報から解明する。
１．頚部の側方に位置する支点領域（図４、図５、図６、図７、図１６と図１７を参考）
２．首の付け根の側方に位置する支点領域（図１２、図１４、図１５と図１６を参考）
３．オトガイの側方に位置する支点領域（図１３と図１６を参考）
４．下顎に位置する支点領域（図９と図１６を参考）
５．側頭部の上方に位置する支点領域（図１１と図１６を参考）
ｃ）  枕の大きさ
この大きさは、次の支点領域（群）に開する被験者の情報から解明する。
１．肩の背面に位置する支点領域（図１４、図１５と図１６を参考）
２．被験者固有の「強い圧力で枕に接触固定させる領域」の全体像（図２、図３を参考）
ｄ）  枕の硬さ
この硬さは、次の支点領域に関する被験者の情報と被験者の後頭部の変形（図１を参考）に関する情報から解明する。
１．後頭部にある支点領域群（後頭部の上方に位置する支点領域、後頭部の上方下部に位置する支点領域、後頭結節の上方に位置する支点領域と後頭結節に位置する支点領域）（図１と図１６を参考）
２．第７頚椎に位置する支点領域（図１と図１６を参考）
３．頚部の側方に位置する支点領域（図４、図５、図６、図７、図１６と図１７を参考）
ｅ）  枕の形状
この形状は、次の支点領域に関する被験者の情報から解明する。
１．後頭部にある支点領域群（後頭部の上方に位置する支点領域、後頭部の上方下部に位置する支点領域、後頭結節の上方に位置する支点領域と後頭結節に位置する支点領域）（図１と図１６を参考）
２．第７頚椎の直上に位置する支点領域（図１と図１６を参考）
３  頚部の中央に位置する支点領域（図１と図１６を参考）
４．頚部の側方に位置する支点領域（図４、図５、図６、図７、図１６と図１７を参考）
５．頚部の上方に位置する支点領域（図８を参考）
６．側頭部に位置する支点領域（図１０、図１１と図１６を参考）
７．耳の後方上部に位置する支点領域（図１２と図１６を参考）
８．肩の背面に位置する支点領域（図１４、図１５と図１６を参考）
９．首の付け根の側方に位置する支点領域（図１２、図１４、図１５と図１６を参考）
【手続補正１６】
【補正対象書類名】明細書
【補正対象項目名】０１４７
【補正方法】変更
【補正の内容】
【０１４７】
【実施例】
実施例として、次の特徴を持った人（被験者Ａ）の咬合を取り上げ、被験者Ａが快適に睡眠をとることができる性状を持った「個人固有の枕」を解明する、この時、被験者Ａの頭蓋の形態を参考資料にする。
資料
１）  被験者Ａの咬合形態の特徴
＃１．上顎前歯の垂直被蓋−極めて浅い（ただし、右側の側切歯と犬歯は、切端咬合である。）
＃２．上顎前歯の水平被蓋−なし
＃３．歯の大きさ−大きい、あるいは比較的大きい（ただし、左右の上下顎犬歯は小さく、左右の下顎中切歯と下顎第２大臼歯は、比較的小さい。）
ａ．右上顎犬歯７．０ｍｍ＞左上顎犬歯６．６ｍｍ
ｂ．右下顎中切歯５．１ｍｍ＜左下顎中切歯５．６ｍｍ
ｃ．右下顎第２大臼歯１０．８ｍｍＸ１０．５ｍｍ＜左下顎第２大臼歯１１．４ｍｍＸ１０．６ｍｍ
＃４．上顎前歯の長さ−極めて長い
＃５．臼歯の形態−噛む面が極めてなだらか
＃６．歯列の状態−整っている
＃７．上顎歯列アーチの大きさとその形態−比較的大きくて馬蹄形状
＃８．臼歯の被蓋−正常
＃９．前歯の被蓋−正常
＃１０．前歯の唇舌的な傾斜−上下歯共に垂直的
２）  被験者Ａの頭蓋の形態
後頭部の上方に位置する支点領域の部分−広範囲で平らになっている
側頭部の上方に位置する支点領域の部分−左右共に比較的広い範囲で平らになっている
【手続補正１７】
【補正対象書類名】明細書
【補正対象項目名】０１４８
【補正方法】追加
【補正の内容】
【０１４８】（１）被験者Ａが所有する個人固有の咬合の歯型模型を作成し、さらに頭部、頚部と肩の背面の表皮にモザイク状に存在し、成長期の就眠時に、常に加えられる方向性のある強い圧力に反応して、特定の咬合様式に個人差を生じさせる１５種類の支点領域の図と頚部の側方に位置する支点領域を１６分割した図（図１６）を用意する。
（２）上記したこの被験者の咬合形態の特徴と頭蓋の形態から、この被験者固有の「方向性のある強い圧力で枕に接触固定させている領域」を次のようにして解明する。
１．被験者Ａが所有する上顎前歯の垂直被蓋と上顎歯列アーチの形態の特徴から、被験者Ａは後頭部にある支点領域群（後頭部の上方に位置する支点領域、後頭部の上方下部に位置する支点領域、後頭結節の上方に位置する支点領域と後頭結節に位置する支点領域）と第７頚椎の直上に位置する支点領域の中で、次の支点領域を所有していると解明できる。
＃１．後頭部の上方に位置する支点領域（中心部を含む形態）
＃２．第７頚椎の直上に位置する支点領域（右側）
２．被験者Ａが所有する上顎前歯の水平被蓋と前歯の唇舌的な傾斜の特徴から、この被験者は就眠時、常に鼻呼吸であり、タイプＲＴ−ＢＮで「舌による接触固定行為」を行っていると解明できる。
３．被験者Ａが所有する歯の大きさに関する特徴から、次の事柄が解明できる。
＃１．大きな歯が多くて小さな歯が少ないという被験者Ａの歯の大きさに関する特徴から、被験者Ａは頚部の側方に位置する支点領域を狭い範囲で所有し、枕と頭頚部の間に指を入れている。
＃２．被験者Ａが所有する左右上下顎犬歯の大きさの特徴から、被験者Ａは就眠時、右の頚部の側方に位置する支点領域内の右上顎犬歯を小さくさせる部分と右下顎犬歯を小さくさせる部分に広い範囲で指を当て、さらに左の頚部の側方に位置する支点領域内の左上顎犬歯を小さくさせる部分と左下顎犬歯を小さくさせる部分に広い範囲で指を当てている。（図１６：ｘの２とｘの３を参照）ただし、右上顎犬歯（７．０ｍｍ）は左上顎犬歯（６．６ｍｍ）よりも大きいという被験者Ａが所有する左右上顎犬歯の大きさの違いと右下顎犬歯（６．３ｍｍ）は左下顎犬歯（６．０ｍ）よりも大きいという被験者Ａが所有する左右下顎犬歯の大きさの違いから、被験者Ａの場合、上顎犬歯を小さくさせる部分の広さと下顎犬歯を小さくさせる部分の広さは、次のように左右で異なっている。
ａ．被験者Ａの場合、右の上顎犬歯を小さくさせる部分の広さは、左の上顎犬歯を小さくさせる部分よりも狭い。
ｂ．被験者Ａの場合、右の下顎犬歯を小さくさせる部分の広さは、左の下顎犬歯を小さくさせる部分よりも狭い。
＃３．被験者Ａが所有する左右下顎中切歯の大きさの特徴から、被験者Ａは就眠時、頚部の側方に位置する支点領域の下顎中切歯を小さくさせる左右の部分に比較的広い範囲で指を当てている。ただし、右下顎中切歯（５．６ｍｍ）は左下顎中切歯（５．１ｍｍ）よりも大きいという被験者Ａが所有する左右下顎中切歯の大きさの違いから、被験者Ａの場合、下顎中切歯を小さくさせる部分の広さは、次のように左右で異なっている。
被験者Ａの場合、右の下顎中切歯を小さくさせる部分の広さは、左の下顎中切歯を小さくさせる部分よりも狭い。
＃４．被験者Ａが所有する左右下顎第２大臼歯の大きさの特徴から、被験者Ａは就眠時、右の頚部の側方に位置する支点領域内の右下顎第２大臼歯を小さくさせる部分と左の頚部の側方に位置する支点領域内の左下顎第２大臼歯を小さくさせる部分に比較的広い範囲で指を当てている。ただし、右下顎第２大臼歯（１０．８ｍｍＸ１０．５ｍｍ）は左下顎第２大臼歯（１１．４ｍｍＸ１０．６ｍｍ）よりも小さいという被験者Ａが所有する左右下顎第２大臼歯の大きさの違いから、被験者Ａの場合、下顎第２大臼歯を小さくさせる部分の広さは次のように左右で異なっている。
被験者Ａの場合、右下顎第２大臼歯を小さくさせる部分の広さは、左下顎第２大臼歯を小さくさせる部分よりも広い。
４．被験者Ａが所有する上顎前歯の長さから、被験者Ａは頚部の上方に位置する支点領域を所有していない。
５．被験者Ａが所有する臼歯の形態から、被験者Ａは下顎に位置する支点領域を所有していない。
６．被験者Ａが所有する歯列の状態と上顎歯列アーチの形態から、被験者Ａは側頭部に位置する支点領域を所有していない。
７．被験者Ａが所有する上顎歯列アーチの形態から、被験者Ａは耳の後方上部にに位置する支点領域を所有していない。また、被験者Ａが所有するこの形態から、被験者Ａは仰向け時、真正面を向いて睡眠をとっている。
８．被験者Ａが所有する上顎歯列アーチの大きさから、被験者Ａは側頭部の上方に位置する支点領域を比較的広い範囲で所有している。
９．被験者Ａが所有する臼歯の被蓋から、被験者Ａはオトガイの側方に位置する支点領域を所有していない、
１０．被験者Ａが所有する前歯の被蓋から、被験者Ａは頚部の中央に位置する支点領域を所有していない。
１１．被験者Ａが所有する前歯の唇舌的な傾斜から、被験者Ａは肩の背面に位置する支点領域と首の付け根の側方に位置する支点領域を所有していない。
【手続補正１８】
【補正対象書類名】明細書
【補正対象項目名】０１５０
【補正方法】変更
【補正の内容】
【０１５０】（４）（３）で作成した被験者Ａ固有の「方向性の強い圧力で枕に接触固定させる領域」の図から、被験者Ａが快適に睡眠をとることができる個人固有の枕の性状を次のようにして解明する。
１．枕の高さ
被験者Ａが所有する「後頭部の上方に位置する支点領域と側頭部の上方に位置する支点領域」から、枕の高さは極めて低いと解明できる。
２．枕の素材
被験者Ａは、首の付け根の側方に位置する支点領域、オトガイの側方に位置する支点領域と下顎に位置する支点領域を所有していないことから、流動性が低く、変形させ難い素材を必要とすると解析できる。
３．枕の大きさ
＃１．被験者Ａ固有の「強い圧力で枕に接触固定させる領域」の全体像から、被験者Ａの枕の大きさは比較的小さいと解明できる。また、この全体像から、被験者Ａは仰向けと横向きはできるが、うつ伏せを取ることができないと解析できる。
＃２．被験者Ａは肩の背面に位置する支点領域を所有していないことから、被験者Ａの枕の縦幅は後頭部の上方に位置する支点領域から第７頚椎の直上までであると解明できる。
＃３．被験者Ａは、頚部の側方に位置する支点領域に指を当てていることから、被験者Ａの枕の横幅は枕の上に手を乗せることができる幅であると解明できる。
４．枕の硬さ
＃１．被験者Ａが所有する後頭部の上方に位置する支点領域とこの部分の頭蓋の形態から、被験者Ａが後頭部に当てる枕の部分は極めて硬いと解明できる。
＃２．被験者Ａは、頚部の側方に位置する支点領域に指を当てていることから、首の部分の硬さは、被験者Ａが手を乗せても痛くない硬さを必要とすると解明できる。
５．枕の形状
＃１．被験者Ａが所有する頚部の側方に位置する支点領域の形態から、枕の形状は、被験者Ａが首の部分を枕の上から指を当てることができる形状にしなければならないと解明できる。ただし、被験者Ａが手に支障をきたした時、枕の形状は、指を当てる個所に布でできた指状の袋を縫い付けた形状にしなければならないと解明できる。この布でできた指状の袋は、個人個人の指の形態（長さ、太さと形状）に合った形にする。（図１８）
＃２．被験者Ａは、頚部の中央に位置する支点領域を所有していないことから、枕の形状は、被験者Ａの首の中央部分に接触しない形状にする必要があると解明できる。
＃３．被験者Ａは、第７頚椎の直上に位置する支点領域を右側だけで所有していることから、被験者Ａが首の部分に枕の上から指を当てることができる形状にしなければならないと解明できる。
【手続補正１９】
【補正対象書類名】明細書
【補正対象項目名】０１５２
【補正方法】変更
【補正の内容】
【０１５２】
【発明の効果】
本発明は、これまでに説明したような内容で構成されているので、以下に記載されるような効果を発揮する。
誰もが、前記した発明の実施の形態に従えば、個人固有の咬合の観察から、個人個人が快適に睡眠をとることができる性状を持った個人固有の枕を極めて正確に科学的な根拠に基づいて製造することができるため、枕の製造販売業者は、顧客に安心して枕の提供を行うことができるようになる。
したがって、本発明は産業界に寄与できる。
【図面の簡単な説明】
【図１】
この図は、次の関係を示す図である。１）  就眠時における呼吸法を条件に、後頭部にある支点領域群（後頭部の上方に位置する支点領域、後頭部の上方下部に位置する支点領域、後頭結節の上方に位置する支点領域と後頭結節に位置する支点領域）と第７頚椎の直上に位置する支点領域のうちのいずれかの支点領域を所有している人、前歯部の咬合様式（正常咬合、上顎前歯の垂直被蓋、上顎前歯の水平被蓋、上下顎前歯の傾斜と外側がねじれて唇側に張り出している上顎中切歯）と枕の性状との間に認められる関係。２）  就眠時における呼吸法を条件に、頚部の中央に位置する支点領域を所有し、さらに後頭部の上方下部に位置する支点領域、後頭結節の上方に位置する支点領域と後頭結節に位置する支点領域のうちのいずれかの支点領域を所有している人、前歯部の咬合様式（反対咬合、下顎前歯の垂直被蓋、下顎前歯の水平被蓋と上下顎前歯の傾斜）と枕の性状との間に認められる関係。
【図２】
これらの図は、同一的な地図状模様で描くことができる人たちの「枕への接触固定領域」、この人たちの「枕への接触固定領域」の展開図とこの人たちの枕の性状を示す図である。
【図３】
これらの図は、同一的な地図状模様で描くことができる人たちの「枕への接触固定領域」、この人たちの「枕への接触固定領域」の展開図とこの人たちの枕の性状を示す図である。
【図４】
これらの図は、左右にある頚部の側方に位置する支点領域をひとつの単位で見た時、この支点領域を所有している人の広さ、大きな歯と小さな歯の分布状態と枕の性状との間に認められる関係を示す図である。
【図５】
これらの図は、右側（あるいは左側）の頚部の側方に位置する支点領域を８つの部分に分割した時、右側（あるいは左側）の特定部分と特定の上下顎右側（あるいは左側）同一名称歯の大きさ、枕の性状との間に認められる次の関係を提示する上で必要な、右側（あるいは左側）の８つの部分に分割した頚部の側方に位置する支点領域の特定部分の広さと右側（あるいは左側）の特定上下顎同一名称歯の大きさとの間に存在する相関関係を説明する右側だけの図である。１）右側（あるいは左側）の頚部の側方に位置する支点領域内にある特定部分を全域で所有している人たちは、右側（あるいは左側）特定の上下顎同一名称歯が極めて小さく、直接、あるいは間接的にこの支点領域内にある特定部分の全域に方向性のある強い圧力を加えることができる枕を使用している。間接的に支点領域内にある特定部分に方向性のある強い圧力を加えることができる枕とは、枕の上に手、あるいは腕を乗せて手、あるいは指、あるいは腕で特定部分に圧力を加えることができる枕のことである。２）右側（あるいは左側）の頚部の側方に位置する支点領域内にある特定部分を所有していない人たちは、右側（あるいは左側）特定の上下顎同一名称歯が極めて大きく、この支点領域内にある特定部分の全域に方向性のある強い圧力を加えることができない枕を使用している。
【図６】
右側（あるいは左側）の頚部の側方に位置する支点領域を１６の部分に分割した時（左右対称）、右側（あるいは左側）の頚部の側方に位置する支点領域内にある特定部分の広さと右側（あるいは左側）の特定歯の大きさ、枕の性状との間に認められる関係を提示する時に必要な、右側（あるいは左側）の１６の部分に分割した頚部の側方に位置する支点領域内にある特定部分の広さと右側（あるいは左側）の特定歯の大きさとの間に存在する関係を説明する図である。１）右側（あるいは左側）の頚部の側方に位置する支点領域内にある特定部分を全域で所有している人たちは、右側（あるいは左側）の特定の歯が極めて小さく、この支点領域内にある特定部分の全域に直接、あるいは間接的に方向性のある強い圧力を加えることができる枕を使用している。間接的に特定部分の全域に方向性のある強い圧力を加えることができる枕とは、枕の上に手、あるいは腕を乗せて手、あるいは指、あるいは腕でこの支点領域内にある特定部分の全域に圧力を加えることができる枕のことである。２）右側（あるいは左側）の頚部の側方に位置する支点領域内にある特定部分を比較的広い範囲で所有している人たちは、右側（あるいは左側）の特定の歯が比較的小さく、この支点領域内にある特定部分の比較的広い範囲に方向性のある強い圧力を加えることができる枕を使用しているか、間接的にこの支点領域内にある特定部分に方向性のある強い圧力を加えることができる枕を使用している。３）右側（あるいは左側）の頚部の側方に位置する支点領域内にある特定部分を比較的狭い範囲で所有している人たちは、右側（あるいは左側）の特定の歯が比較的大きく、この支点領域内にある特定部分の比較的狭い範囲にしか方向性のある強い圧力を加えることができない枕を使用しているか、間接的にこの支点領域内にある特定部分に方向性のある強い圧力を加えることができる枕を使用している。４）右側（あるいは左側）の頚部の側方に位置する支点領域内にある特定部分を所有していない人たちは、右側（あるいは左側）の特定の歯が極めて大きく、この支点領域内にある特定部分に方向性のある強い圧力を加えることができない枕を使用しているか、枕を使用していない。
【図７】
これらの図は、頚部の側方に位置する支点領域内にある８つの部分の位置（左右対称）を解剖学的に説明する図である。
【図８】
これらの図は、後頭結節の上方に位置する支点領域の広さ、上顎前歯の長さと枕の性状との間に認められる関係を示す図である。
【図９】
これらの図は、下顎に位置する支点領域の広さ、臼歯の形状（尖り具合）と枕の性状との間に認められる関係を示す図である。
【図１０】
これらの図は、側頭部に位置する支点領域、上顎犬歯が歯列アーチからはみ出した位置にある歯列と枕の性状との間に認められる関係を示す図である。ただし、この人たちは、頚部の側方に位置する支点領域内の上顎前歯と上顎犬歯の大きさに関係する部分を所有していないか、狭い領域でしか所有していないことを条件とする。
【図１１】
これらの図は、側頭部の上方に位置する支点領域、上顎歯列アーチの大きさと枕の性状との間に認められる関係、及び頚部の側方に位置する支点領域、上顎歯列アーチの大きさと枕の性状との間に認められる関係を示す図である。
【図１２】
これらの図は、次の関係を示す図である。１）馬蹄形状の上顎歯列アーチ、あるいは放物線状の上顎歯列アーチ、後頭部にある支点領域群（後頭部の上方に位置する支点領域、後頭部の上方下部に位置する支点領域、後頭結節の上方に位置する支点領域と後頭結節に位置する支点領域）の形状と枕の性状との間に認められる関係。２）細長い形状の上顎歯列アーチ、耳の後方上部に位置する支点領域と枕の性状との間に認められる関係。３）前歯部で狭く臼歯部に行くに従って広くなる形態の上顎歯列アーチ、あるいは前歯部で狭く臼歯部に行くに従って極めて広くなる形態の上顎歯列アーチ、側頭部に位置する支点領域の形状と枕の性状との間に認められる関係。４）前歯部で平らな形態の上顎歯列アーチ、首の付け根の側方に位置する支点領域と枕の性状との間に認められる関係。
【図１３】
これらの図は、オトガイの側方に位置する支点領域の内容、臼歯の被蓋の内容と枕の性状との間に認められる関係を示す図である。
【図１４】
これらの図は、次の関係を示す図である。１）就眠時の呼吸法が常に鼻呼吸であることを条件として、肩の背面に位置する支点領域、唇側に傾斜した上下顎前歯と枕の性状との間に認められる関係。２）就眠時の呼吸法が常に鼻呼吸であることを条件として、肩の背面に位置する支点領域の広さ、唇側に傾斜した上下顎前歯の度合いと枕の性状との間に認められる関係。３）就眠時の呼吸法が常に鼻呼吸であることを条件として、首の付け根の側方に位置する支点領域、舌側に傾斜した上下顎前歯と枕の性状との間に認められる関係。４）就眠時の呼吸法が常に鼻呼吸であることを条件として、首の付け根の側方に位置する支点領域の広さ、舌側に傾斜した上下顎前歯の度合いと枕の性状との間に認められる関係。
【図１５】
この図は、次の関係を示す図である。１）  就眠時の呼吸法を条件として、肩の背面に位置する支点領域を所有し、さらに後頭部の上方に位置する支点領域、後頭部の上方下部に位置する支点領域、後頭結節の上方に位置する支点領域、後頭結節に位置する支点領域と第７頚椎の直上に位置する支点領域のうちのいずれかの支点領域を所有している人、正常咬合、上顎前歯の垂直被蓋、上顎前歯の水平被蓋、唇側に傾斜した上下顎前歯と外側がねじれて唇側に張り出している上顎中切歯という前歯の咬合様式と枕の性状との間に認められる関係。  ただし、この場合、後頭部における枕の高さは、肩の背面に当てている部分の厚みが加算され、さらに背面の傾斜角が付与されるので、この支点領域を所有していない人の場合よりかなり高くなる。２）  就眠時の呼吸法を条件として、首の付け根の側方に位置する支点領域を所有し、さらに後頭部の上方に位置する支点領域、後頭部の上方下部に位置する支点領域、後頭結節の上方に位置する支点領域、後頭結節に位置する支点領域と第７頚椎の直上に位置する支点領域のうちのいずれかの支点領域を所有している人、正常咬合、上顎前歯の垂直被蓋、上顎前歯の水平被蓋、舌側に傾斜した上下顎前歯、舌側に傾斜した下顎前歯と外側がねじれて唇側に張り出している上顎中切歯という前歯の咬合様式と枕の性状との間に認められる関係。
【図１６】
これらの図は、頭頚部と肩の背面の表皮にモザイク状に存在し、成長期、常に加えられる方向性のある強い圧力に反応して特定の咬合様式に個人差を生じさせる１５種類の支点領域の作用内容を説明する図と、１６の部分に分割した右（左）の頚部の側方に位置する支点領域において、成長期、常に加えられる方向性のある強い圧力に反応して右（左）の特定の歯（永久歯で１６種類、乳歯で１０種類）を小さくさせる右（左）の特定部分（永久歯で１６の部分、乳歯で１０の部分）を説明する図である。
【図１７】
これらの図は、頚部の側方に位置する支点領域を除く１４種類の各支点領域に必要とされる「位置固有の方向性のある強い圧力」と８つの部分に分類した頚部の側方に位置する支点領域に必要とされる「位置固有の方向性のある強い圧力」を示す図である。
【図１８】
これらの図は、枕に縫い付ける布でできた指状の袋を示す図である。サイズが示されていないのは、個人個人の指の形態（長さ、太さと形状）を観察し、個人個人の指の形態に合った形で作成するためである。
【図１９】
これらの図は、図１６に上書きした、被験者Ａ固有の「強い圧力で枕に接触させる領域」を示す図である。（黒く塗られている部分）ただし、本来、１６の部分に分割した頚部の側方に位置する支点領域の図を使用すべきだが、白黒表示であるため、８つの部分に分割した頚部の側方に位置する支点領域の図を便宜的に使用してある。
【符号の説明】
ａ  就眠時の呼吸法が常に鼻呼吸で、頚部の中央に位置する支点領域を所有していない人の場合。
この人たちは、正常咬合（正常な垂直被蓋）を共通して所有している。しかし、垂直被蓋の度合いは、対象者が後頭部にある支点領域群（後頭部の上方に位置する支点領域、後頭部の上方下部に位置する支点領域、後頭結節の上方に位置する支点領域と後頭結節に位置する支点領域）と第７頚椎の直上に位置する支点領域のうちのどの支点領域を所有しているのかによって異なる。
ｂ  就眠時の呼吸法が常に鼻呼吸で、頚部の中央に位置する支点領域を所有している人の場合。
この人たちは、反対咬合を共通して所有している。ただし、この支点領域を外側の部分で所有している人の場合、右側（あるいは左側）の部分に所有する人は、右側（あるいは左側）の上顎切歯の一本だけが交差咬合になっている。垂直被蓋の度合いは、対象者が後頭部の上方下部に位置する支点領域、後頭結節の上方に位置する支点領域と後頭結節に位置する支点領域のうちのどの支点領域を所有しているかによって異なる。
ｃ  就眠時の呼吸法が常に口呼吸で、頚部の中央に位置する支点領域を所有していない人の場合。
この人たちは、正常咬合（正常な垂直被蓋）を共通して所有しており、前歯部、あるいは前歯から臼歯にかけての部分の上下歯との間に広い空隙が存在する水平被蓋と唇側に傾斜した上顎前歯を所有している。垂直被蓋の度合いは、対象者が後頭部にある支点領域群（後頭部の上方に位置する支点領域、後頭部の上方下部に位置する支点領域、後頭結節の上方に位置する支点領域と後頭結節に位置する支点領域）と第７頚椎のうちのどの支点領域を所有しているかによって異なる。
ｄ  就眠時の呼吸法が常に口呼吸で、頚部の中央に位置する支点領域を所有している人の場合。
この人たちは、反対咬合を共通して所有している。また、この人たちは、前歯部、あるいは前歯から臼歯にかけての部分の上下歯との間に広い空隙が存在する水平被蓋、及び唇側に傾斜した上顎前歯を共通して所有している。垂直被蓋の度合いは、対象者が後頭部の上方下部に位置する支点領域、後頭結節の上方に位置する支点領域と後頭結節に位置する支点領域のうちのどの支点領域を所有しているのかによって異なる。
ｅ  就眠時、鼻呼吸と口呼吸を繰り返す呼吸法で、頚部の中央に位置する支点領域を所有していない人の場合。
この人たちは、正常咬合を共通して所有している。しかし、垂直被蓋の度合いは、対象者が後頭部にある支点領域群（後頭部の上方に位置する支点領域、後頭部の上方下部に位置する支点領域、後頭結節の上方に位置する支点領域と後頭結節に位置する支点領域）と第７頚椎の直上に位置する支点領域のうち、どの支点領域を所有しているかによって異なる。また、この人たちは、慢性鼻疾患に罹患した時期を条件として、次の咬合様式を所有している。
７才前後までに慢性鼻疾患に罹患した人の場合−この人たちは、遠心部がねじれて唇側に張り出した上顎中切歯を共通して所有している。この歯は、近心部で接触するが遠心部で接触せず、上下歯との間に空隙がある。
８才以降に慢性鼻疾患に罹患した人の場合−この人たちは、上下歯の間に狭い空隙のある上顎前歯を共通して所有している。
ｆ  就眠時、鼻呼吸と口呼吸を繰り返す呼吸法で、頚部の中央に位置する支点領域を所有している人の場合。
ｇの１  これらの図は、個人固有の「枕への接触固定領域」を３つの面から見た図である。
ｇの２  これらの図は、個人固有の「枕への接触固定領域」の展開図である。
ｇの３  これらの図は、同一的な地図状模様で描くことができる「枕への接触固定領域」を所有する人の基本的な睡眠姿勢と枕の性状を示す図である。
ｈの１  これらの図は、左右の頚部の側方に位置する支点領域を全域で所有している人（黒く塗られている部分）は、すべての歯が極めて小さく、左右のこの支点領域の全域に方向性のある強い圧力を加えることができる枕（流動性の極めて高い性状の枕か変形させやすい性状の枕）を使用しているという関係を示す図である。
ｈの２  これらの図は、頚部の側方に位置する支点領域をまったく所有していない人たちは、すべての歯が極めて大きく、この支点領域に方向性のある強い圧力を加えることができない枕（流動性のない素材でできた硬い枕か変形させ難い素材でできた枕）を使用しているという関係を示す図である。
ｈの３  これらの図は、左右の頚部の側方に位置する支点領域をいくつかの部分（黒く塗られている部分）で所有している人たちは、大きな歯が多くて小さな歯が少なく、この支点領域のいくつかの部分に方向性のある強い圧力を枕の上に置いた手、あるいは指、あるいは腕で加えることができる枕（あまり流動性のない素材でできた枕か比較的変形させ難い素材でできた枕）を使用しているという関係を示す図である。
ｈの４  これらの図は、左右の頚部の側方に位置する支点領域を比較的広い部分（黒く塗られている部分）で所有している人たちは、小さな歯が多くて大きな歯が少なく、この支点領域の比較的広い部分に方向性のある強い圧力を加えることができる枕（比較的流動性のある素材でできた枕か比較的変形させ易い素材でできた枕）を使用しているという関係を示す図である。
ｉの１  この図は、頚部の側方に位置する支点領域を８つの部分に分割した時の拡大図である。（後方から見た右側だけの図）
ｉの２  この図は、頚部の側方に位置する支点領域を８つの部分に分割した時の拡大図である。（右側方から見た図）
ｊの１  この図は、頚部の側方に位置する支点領域を１６の部分に分割した時の拡大図である。（後方から見た右側だけの図）黒く塗られている部分は、下顎の歯の大きさに関係し、白抜きの部分は、上顎の歯の大きさに関係する。
ｊの２  この図は、頚部の側方に位置する支点領域を１６の部分に分割した時の拡大図である。（右側方から見た図）黒く塗られている部分は、下顎の歯の大きさに関係し、白抜きの部分は、上顎の歯の大きさに関係する。
ｋの１  この図は、頚部の側方に位置する支点領域の位置を頭頚部における骨格（あるいは筋肉）との関係で示した解剖学的な図である。（後方から見た図）
ｋの２  この図は、８つの部分に分割した「頚部の側方に位置する支点領域」の各特定部分の位置を解剖学的に説明する図である、（後方から見た右側だけの図）
ｌの１  これらの図は、頚部の上方に位置する支点領域を全域（黒く塗られている部分）で所有している人は、極めて短い上顎前歯を持ち、この領域に方向性のある強い圧力を加えることができる形状の枕を使用しているという関係を示す図である。
ｌの２  これらの図は、頚部の上方に位置する支点領域を比較的広い範囲（黒く塗られている部分）で所有する人は、比較的短い上顎前歯を持ち、この範囲に方向性のある強い圧力を加えることができる形状の枕を使用しているという関係を示す図である。
ｌの３  これらの図は、頚部の上方に位置する支点領域をまったく所有しない人は、極めて長い上顎前歯を持ち、この支点領域に方向性のある強い圧力を加えることができない形状の枕を使用しているという関係を示す図である。
ｍの１  これらの図は、下顎に位置する支点領域を全域（頬骨の前方の部分をも含む）で所有し、さらにこの支点領域を両側で所有している人は、極めて尖った臼歯を持ち、この支点領域に方向性のある強い圧力を極めて広い範囲で加えることができる枕という流動性の高い素材でできた枕か変形させやすい素材でできた枕を使用しているという関係を示す図である。
ｍの２  これらの図は、下顎に位置する支点領域を比較的広い範囲（頬骨の前方の部分を含まない）で所有し、さらにこの支点領域を両側で所有している人は、尖った臼歯を持ち、この支点領域に方向性のある強い圧力を広い範囲で加えることができる枕という流動性の高い素材でできた枕か変形させやすい素材でできた枕を使用しているという関係を示す図である。
ｍの３  これらの図は、下顎に位置する支点領域を狭い範囲（頬骨の前方の部分を含まない）で所有している人は、噛む面が比較的なだらかな斜面の臼歯を持ち、この支点領域に方向性のある強い圧力を狭い範囲で加えることができる枕という比較的流動性の低い素材でできた枕か、比較的変形させ難い素材でできた枕を使用しているという関係を示す図である。
ｍの４  これらの図は、下顎に位置する支点領域を所有しない人、あるいはこの支点領域を片側でしか所有していない人は、噛む面が最もなだらかな斜面の臼歯を持ち、この支点領域に方向性のある強い圧力を加えることができない枕という流動性のない素材でできた枕か、変形させ難い素材でできた枕を使用しているという関係を示す図である。
ｎの１  これらの図は、側頭部の上方に位置する支点領域を全域で所有している人は、極めて大きな上顎歯列アーチを持ち、流動性のない低い枕か極めて低い枕を使用しているという関係を示す図である。（ただし、この場合、頚部の側方に位置する支点領域を所有しないことを条件にする。）
ｎの２  これらの図は、頚部の側方に位置する支点領域を全域で所有している人は、極めて小さい上顎歯列アーチを持ち、流動性の極めて高い素材でできた枕か極めて変形させやすい素材でできた枕を使用しているという関係を示す図である。（ただし、この場合、側頭部の上方に位置する支点領域をまったく所有しないことを条件にする。）
ｏの１  これらの図は、馬蹄形状の上顎歯列アーチを持っている人は、中心部を含んだ形態（黒く塗られている部分）で後頭部にある支点領域群（後頭部の上方に位置する支点領域、後頭部の上方下部に位置する支点領域、後頭結節の上方に位置する支点領域と後頭結節に位置する支点領域）のうちのいずれかの支点領域を所有し、中心部が凹んでいる枕で首の角度を０度にした時に最も安定する枕（後頭部の一部が平らになっている人たちは平らで硬い枕）を使用しているという関係を示す図である。
ｏの２  これらの図は、放物線状の上顎歯列アーチを持っている人は、中心部を除く形態（黒く塗られている部分）で後頭部に位置する支点領域群（後頭部の上方に位置する支点領域、後頭部の上方下部に位置する支点領域、後頭結節の上方に位置する支点領域と後頭結節に位置する支点領域）のうちのいずれかの支点領域を所有し、比較的平らな枕で首の角度を１５度前後にした時に最も安定する枕を使用しているという関係を示す図である。
ｏの３  これらの図は、細長い形状の上顎歯列アーチを持っている人は、耳の後方上部に位置する支点領域（黒く塗られている部分）を所有し、端が高くなっていない枕で首の角度を３０度前後にした時に最も安定する枕を使用しているという関係を示す図である。
ｏの４  これらの図は、前歯部で狭く臼歯部に行くに従って広くなる形態の上顎歯列アーチを持っている人は、側頭部に位置する支点領域を耳の上方（黒く塗られている部分）で所有し、端が高くなっている枕で首の角度を５５度前後にした時に最も安定する枕を使用しているという関係を示す図である。
ｏの５  これらの図は、前歯部で狭く臼歯部に行くに従って極めて広くなる形態の上顎歯列アーチを持っている人は、側頭部に位置する支点領域を耳の上方から額の側方にまで達する広い範囲（黒く塗られている部分）で所有し、端が強く高くなっている枕で首の角度を１００度前後にした時に最も安定する枕を使用しているという関係を示す図である。
ｏの６  これらの図は、前歯部で平らな形態の上顎歯列アーチを持っている人は、首の付け根の側方に位置する支点領域（黒く塗られている部分）を所有し、首と肩の間に差し込み、抱きかかえるようにして使用できる枕を使用しているという関係を示す図である。（ただし、臼歯部の形態は、この支点領域に加えて、対象者が後頭部に位置する支点領域群、耳の後方上部に位置する支点領域と側頭部に位置する支点領域の中で、どの支点領域をどのような形態で所有しているのかによって異なる。）
ｐの１  これらの図は、オトガイの側方に位置する支点領域を所有していない人は、上顎臼歯が下顎臼歯を被っている正常な被蓋関係を所有し、性状に条件を必要としない枕をこの支点領域に当てない方法で使用しているという関係を示す図である。
ｐの２  これらの図は、オトガイの側方に位置する支点領域の右側だけを所有している人は、片側性の交差咬合（左側）を所有し、変形させやすい枕か、比較的変形させやすく、やわらかい枕を使用しているという関係を示す図である。
ｐの３  これらの図は、オトガイの側方に位置する支点領域の左側だけを所有している人は、片側性の交差咬合（右側）を所有し、変形させやすい枕か、比較的変形させやすく、やわらかい枕を使用しているという関係を示す図である。
ｐの４  これらの図は、オトガイの側方に位置する支点領域を両側で所有している人は、両側性の交差咬合（左右）を所有し、変形させやすい枕か、比較的変形させやすく、やわらかい枕を使用しているという関係を示す図である。
ｑの１  これらの図は、就眠時の呼吸法が常に鼻呼吸であることを条件にして、肩の背面に位置する支点領域を所有している人は、唇側に傾斜した上下の前歯を持ち、大きな枕（複数の枕を使用することが多い）を使用しているという関係を示す図である。
ｑの２  これらの図は、就眠時の呼吸法が常に鼻呼吸であることを条件にして、肩の背面に位置する支点領域を全域（黒く塗られている部分）で所有している人は、極めて強く唇側に傾斜した上下の前歯を持ち、大きくて、肩の背面の下部にまで接触させる枕（複数の枕を使用することが多い）を使用しているという関係を示す図である。
ｑの３  これらの図は、肩の背面に位置する支点領域を狭い領域（黒く塗られている部分）で所有している人は、弱く唇側に傾斜した上下の前歯を持ち、大きくて、肩の背面の上部に接触させる枕（複数の枕を使用することが多い）を使用しているという関係を示す図である。
ｑの４  これらの図は、首の付け根の側方に位置する支点領域を所有している人は、舌側に傾斜した上下の前歯を持ち、首と肩の間に差し込み、抱きかかえるようにして使用できる枕を使用しているという関係を示す図である。
ｑの５  これらの図は、首の付け根の側方に位置する支点領域を全域（黒く塗られている部分）で所有する人は、極めて強く舌側に傾斜した上下の前歯を持ち、首と肩の間に差し込み、広い範囲で抱きかかえるようにして使用できる枕を使用しているという関係を示す図である。
ｑの６  これらの図は、首の付け根の側方に位置する支点領域を狭い領域（黒く塗られている部分）で所有する人は、弱く舌側に傾斜した上下の前歯を持ち、首と肩の間に差し込み、狭い範囲で抱きかかえるようにして使用できる枕を使用しているという関係を示す図である。
ｒ  就眠時の呼吸法が常に鼻呼吸で、肩の背面に位置する支点領域を所有し、さらに特定領域に位置する支点領域（後頭部の上方に位置する支点領域、後頭部の上方下部に位置する支点領域、後頭結節の上方に位置する支点領域、後頭結節に位置する支点領域と第７頚椎の直上に位置する支点領域）のいずれかを所有している人たちの場合。
この人たちは、唇側に傾斜した上下の前歯を共通して所有している。しかし、前歯の垂直被蓋の度合いは、対象者が上記した特定領域に位置する支点領域のうち、どの支点領域を所有しているのかによって異なる。
ｓ  就眠時の呼吸法が常に鼻呼吸で、首の付け根の側方に位置する支点領域を所有し、さらに特定領域に位置する支点領域（後頭部の上方に位置する支点領域、後頭部の上方下部に位置する支点領域、後頭結節の上方に位置する支点領域、後頭結節に位置する支点領域と第７頚椎の直上に位置する支点領域）のいずれかを所有している人たちの場合。
この人たちは、舌側に傾斜した上下の前歯を共通して所有している。しかし、前歯の垂直被蓋の度合いは、対象者が上記した特定領域に位置する支点領域のうち、どの支点領域を所有しているのかによって異なる。
ｔ  就眠時の呼吸法が常に口呼吸で、肩の背面に位置する支点領域を所有し、さらに特定領域に位置する支点領域（後頭部の上方に位置する支点領域、後頭部の上方下部に位置する支点領域、後頭結節の上方に位置する支点領域、後頭結節に位置する支点領域と第７頚椎の直上に位置する支点領域）のいずれかを所有している人たちの場合。
この人たちは、唇側に傾斜した上下の前歯と広い空隙のある水平被蓋を共通して所有している。しかし、前歯の垂直被蓋の度合いは、対象者が上記した特定領域に位置する支点領域のうち、どの支点領域を所有しているのかによって異なる。
ｕ  就眠時の呼吸法が常に口呼吸で、首の付け根の側方に位置する支点領域を所有し、さらに特定領域に位置する支点領域（後頭部の上方に位置する支点領域、後頭部の上方下部に位置する支点領域、後頭結節の上方に位置する支点領域、後頭結節に位置する支点領域と第７頚椎の直上に位置する支点領域）のいずれかを所有している人たちの場合。
この人たちは、垂直的な上顎前歯と舌側に傾斜した下顎の前歯を共通して所有している。しかし、前歯の垂直被蓋の度合いは、対象者が上記した特定領域に位置する支点領域のうち、どの支点領域を所有しているのかによって異なる。
ｖ  就眠時、鼻呼吸と口呼吸を繰り返す呼吸法で、肩の背面に位置する支点領域を所有し、さらに特定領域に位置する支点領域（後頭部の上方に位置する支点領域、後頭部の上方下部に位置する支点領域、後頭結節の上方に位置する支点領域、後頭結節に位置する支点領域と第７頚椎の直上に位置する支点領域）のいずれかを所有している人たちの場合。
この人たちは、慢性鼻疾患に罹患した時期を条件として、次の咬合形態を共通して所有している。
７才前後までに慢性鼻疾患に罹患した人の場合−唇側に傾斜した上顎前歯と遠心部がねじれて唇側に張り出し、近心部で接触するが、遠心部で空隙を持っている上顎中切歯
８才以降に慢性鼻疾患に罹患した人の場合−唇側に傾斜した上下の前歯と狭い空隙を持った水平被蓋
しかし、前歯の垂直被蓋の度合いは、対象者が上記した特定領域に位置する支点領域のうち、どの支点領域を所有しているのかによって異なる。
ｗ  就眠時、鼻呼吸と口呼吸を繰り返す呼吸法で、首の付け根の側方に位置する支点領域を所有し、さらに特定領域に位置する支点領域（後頭部の上方に位置する支点領域、後頭部の上方下部に位置する支点領域、後頭結節の上方に位置する支点領域、後頭結節に位置する支点領域と第７頚椎の直上に位置する支点領域）のいずれかを所有している人たちの場合。
この人たちは、慢性鼻疾患に罹患した時期を条件として、次の咬合形態を共通して所有している。
７才前後までに慢性鼻疾患に罹患した人の場合−垂直的な上顎前歯、舌側に傾斜した下顎前歯と遠心部がねじれて唇側に張り出し、近心部で接触するが、遠心部で空隙を持っている上顎中切歯
８才以降に慢性鼻疾患に罹患した人の場合−垂直的な上顎前歯、舌側に傾斜した下顎前歯と狭い空隙を持った水平被蓋
しかし、前歯の垂直被蓋の度合いは、対象者が上記した特定領域に位置する支点領域のうち、どの支点領域を所有しているのかによって異なる。
ｘの１  これらの図は、頭頚部と肩の背面の表皮にモザイク状に存在し、成長期、常に加えられる方向性のある強い圧力に反応して特定の咬合様式に個人差を生じさせる１５の支点領域の作用内容を説明する図である。
２１８（７３）と２２０（１１５）で重なっている部分は、位置固有の圧力がそれぞれで異なる。（この原因は、この部分が極めて変形しやすいためである。）
ｘの２  この図は、右（左）の頚部の側方に位置する支点領域において、成長期、常に加えられる方向性のある強い圧力に反応して右（左）の特定同一名称歯（永久歯で１６種類、乳歯で１０種類）を小さくさせる右（左）の特定部分（永久歯で１６の部分、乳歯で１０の部分）の作用内容を説明する図である。（後方から見た右側だけの図）
ｘの３  この図は、右（左）の頚部の側方に位置する支点領域において、成長期、常に加えられる方向性のある強い圧力に反応して右（左）の特定同一名称歯（永久歯で１６種類、乳歯で１０種類）を小さくさせる右（左）の特定部分（永久歯で１６の部分、乳歯で１０の部分）の作用内容を説明する図である。（側方から見た右側だけの図）
ｙの１  これらの図は、頚部の側方に位置する支点領域を除く１４の各支点領域に必要な位置固有の方向性のある強い圧力を示した図である。
ｙの２  この図は、頚部の側方に位置する支点領域を８つの部分した各部分に必要な位置固有の方向性のある強い圧力を示した図である。
ｚの１  この図は、指状の袋を側面から見た図である。サイズが示されていないのは、これを作成する時、個人固有の各指の形態（長さ、太さと形状）に合った形にするためである。
ｚの２  この図は、指状の袋を後方にあたる部分の断面図である。サイズが示されていないのは、これを作成する時、個人固有の各指の形態（長さ、太さと形状）に合った形にするためである。
ｚの３  この図は、指状の袋を前方にあたる部分の断面図である。サイズが示されていないのは、これを作成する時、個人固有の各指の形態（長さ、太さと形状）に合った形にするためである。
＄の１  これらの図は、被験者Ａ固有の「強い圧力で枕に接触固定させる領域」を示す図（全体像）である。
＄の２  この図は、左右の「頚部に位置する支点領域」で、被験者Ａが所有する被験者Ａ固有の「強い圧力で枕に接触固定させる領域」を示す図（全体像）である。本来、１６の部分に分類した左右の「頚部に位置する支点領域」が使用されるべきところに８つの部分に分類した左右の「頚部に位置する支点領域」が使用されているのは、白黒の表示でも被験者Ａ固有の「強い圧力で枕に接触固定させる領域」の広さと位置が良く判るようにした便宜的な配慮である。
＄の３  これらの図は、１６の部分に分類した左右の「頚部に位置する支点領域」で、被験者Ａが所有する被験者Ａ固有の「強い圧力で枕に接触固定させる領域」を示す図（全体像）である。本来、１６の部分に分類した左右の「頚部に位置する支点領域」が使用されるべきところに８つの部分に分類した左右の「頚部に位置する支点領域」が使用されているのは、白黒の表示でも被験者Ａ固有の「強い圧力で枕に接触固定させる領域」の広さと位置が良く判るようにした便宜的な配慮である。
１  第七頚椎の直上に位置する支点領域を主な支点領域として所有する人たち
ただし、この支点領域を右側の部分で所有している人は、右側の上顎中切歯を除く前歯部の１、２本が切端咬合である、左の場合も同様である。また、この人たちは、常に、頚部中央に接触しない枕を使用しているか、あるいはその部分に枕を接触させない方法で枕を使用している。
２  後頭部の上方に位置する支点領域を主な支点領域として所有する人たち
ただし、この人たちの誰もが、第七頚椎の直上に位置する支点領域を所有しないことを条件とする。
３  後頭部上方下部に位置する支点領域を主な支点領域として所有する人たち
ただし、この人たちの誰もが、第七頚椎の直上に位置する支点領域を所有しないことを条件とする。
４  後頭結節の上方に位置する支点領域を主な支点領域として所有する人たち
５  後頭結節に位置する支点領域を主な支点領域として所有する人たち
６  頚部の中央に位置する支点領域と後頭部上方下部に位置する支点領域を主な支点領域として所有する人たち
ただし、頚部の中央に位置する支点領域を右側の部分で所有する人は、右側の上顎切歯の一本だけが交差咬合になっている。左の場合も同様である。また、この人たちの誰もが、第七頚椎の直上に位置する支点領域を所有しないことを条件とする。
７  頚部の中央に位置する支点領域と後頭結節の上方に位置する支点領域を主な支点領域として所有する人たち
ただし、頚部の中央に位置する支点領域を右側の部分で所有する人は、右側の上顎切歯の一本だけが交差咬合（反対咬合）になっている。左の場合も同様である。
８  頚部の中央に位置する支点領域と後頭結節に位置する支点領域を主な支点領域として所有する人たち
ただし、頚部の中央に位置する支点領域を右側の部分で所有する人は、右側の上顎切歯の一本だけが交差咬合（反対咬合）になっている。左の場合も同様である。
９  後頭結節
１０  第七頚椎
１１  第七頚椎の直上に位置する支点領域
１２  後頭部の上方に位置する支点領域
１３  後頭部の上方下部に位置する支点領域
１４  後頭結節の上方に位置する支点領域
１５  後頭結節に位置する支点領域
１６  頚部の中央に位置する支点領域
１７  極めて低い枕（１センチ前後）か低い枕（２から３センチ）で、変形させやすい柔らかい枕（素材によっては極めて小さい枕）−この人たちは、常に、頚部中央に接触しない枕を使用しているか、あるいはその部分に枕を接触させない方法で枕を使用している。
１８  極めて低く、柔らかい枕で、時には、枕を必要としない（ただし、後頭部の上方が平らに変形している人の場合は、極めて低くて極めて硬い枕を使用している。）−この人たちは、常に、頚部中央に接触しない枕を使用しているか、あるいはその部分に枕を接触させない方法で枕を使用している。
１９  極めて低いか低く、柔らかい枕（時には、枕を必要としない）−この人たちは、常に、頚部中央に接触しない枕を使用しているか、あるいはその部分に枕を接触させない方法で枕を使用している。
２０  比較的高くて（８センチ前後）、比較的硬く、比較的しっかりした素材でできた枕−この人たちは、常に、頚部中央に接触しない枕を使用しているか、あるいはその部分に枕を接触させない方法で枕を使用している。
２１  高い枕（１０センチ前後）か極めて高く（１０センチ以上）て、比較的硬いか硬く（あるいは硬い）、しっかりした素材でできた枕で、縦幅が比較的短い枕−この人たちは、常に、頚部中央に接触しない枕を使用しているか、あるいはその部分に枕を接触させない方法で枕を使用している。
２２  低いか極めて低く、柔らかい枕−この人たちは、常に頚部の中央で高くなっている枕、あるいは頚部の中央を高くする方法で枕を使用している。
２３  比較的高くて、比較的硬く、比較的しっかりした素材でできた枕で、縦幅が比較的短い枕−この人たちは、常に頚部の中央で高くなっている枕、あるいは頚部の中央を高くする方法で枕を使用している。
２４  高い枕か極めて高くて、比較的硬く（あるいは硬い）、しっかりした素材でできた枕で、縦幅が比較的短い枕−この人たちは、常に頚部の中央で高くなっている枕、あるいは頚部の中央を高くする方法で枕を使用している。
２５  切端咬合（上下歯の傾斜は垂直）
２６  極めて浅い垂直被蓋（上下歯の傾斜は垂直で正常咬合）
２７  浅い垂直被蓋（上下歯の傾斜は垂直で正常咬合）
２８  比較的深い垂直被蓋（上下歯の傾斜は垂直で正常咬合）
２９  極めて深い垂直被蓋（上下歯の傾斜は垂直で正常咬合）
３０  浅い垂直被蓋（上下歯の傾斜は垂直で反対咬合）
３１  比較的深い垂直被蓋（上下歯の傾斜は垂直で反対咬合）
３２  極めて深い垂直被蓋（上下歯の傾斜は垂直で反対咬合）
３３  著しい開咬と垂直的な上下前歯（開咬とは、前歯部、あるいは前歯から臼歯の一部に至る広範囲が噛み合わない咬合形態である。そのため、誰もが、その部分で発生した空隙から舌の動きを観察できる。）
３４  前歯部、あるいは前歯から臼歯にかけての部分の上下歯との間に広い空隙が存在する水平被蓋、唇側に傾斜した上顎前歯、垂直的な下顎前歯と浅い垂直被蓋
３５  前歯部、あるいは前歯から臼歯にかけての部分の上下歯との間に広い空隙が存在する水平被蓋、唇側に傾斜した上顎前歯、垂直的な下顎前歯と比較的深い垂直被蓋
３６  前歯部、あるいは前歯から臼歯にかけての部分の上下歯との間に広い空隙が存在する水平被蓋、唇側に傾斜した上顎前歯、垂直的な下顎前歯と極めて深い垂直被蓋
３７  前歯部、あるいは前歯から臼歯にかけての部分の上下歯との間に広い空隙が存在する水平被蓋、浅い垂直被蓋、唇側に傾斜した上顎前歯、垂直的な下顎前歯と反対咬合
３８  前歯部、あるいは前歯から臼歯にかけての部分の上下歯との間に広い空隙が存在する水平被蓋、比較的深い垂直被蓋、唇側に傾斜した上顎前歯、垂直的な下顎前歯と反対咬合
３９  前歯部、あるいは前歯から臼歯にかけての部分の上下歯との間に広い空隙が存在する水平被蓋、極めて深い垂直被蓋、唇側に傾斜した上顎前歯、垂直的な下顎前歯と反対咬合
４０  近心部で切端咬合となり、遠心部で上下歯の間に空隙が存在する上顎前歯、垂直的な上下顎前歯と遠心部がねじれて唇側に張り出した上顎中切歯
４１  近心部舌側で接触するが、遠心部では上下歯の間に空隙が存在する水平被蓋、唇側に傾斜した上顎前歯、垂直的な下顎前歯、浅い垂直被蓋と遠心部がねじれて唇側に張り出した上顎中切歯
４２  近心部舌側で接触するが、遠心部では上下歯の間に空隙が存在する水平被蓋、唇側に傾斜した上顎前歯、垂直的な下顎前歯、比較的深い垂直被蓋と遠心部がねじれて唇側に張り出した上顎中切歯
４３  近心部舌側で接触するが、遠心部では上下歯の間に空隙が存在する水平被蓋、唇側に傾斜した上顎前歯、垂直的な下顎前歯、極めて深い垂直被蓋と遠心部がねじれて唇側に張り出した上顎中切歯
４４  弱い開咬と垂直的な上下前歯
４５  上下歯の間に狭い空隙のある水平被蓋、唇側に傾斜した上顎前歯、垂直的な下顎前歯と浅い垂直被蓋
４６  上下歯の間に狭い空隙のある水平被蓋、比較的深い垂直被蓋、唇側に傾斜した上顎前歯、垂直的な下顎前歯
４７  上下歯の間に狭い空隙のある水平被蓋、極めて深い垂直被蓋
４８  第７頚椎の直上と後頭部の上方下部に位置する支点領域（あるいは、後頭部の上方に位置する支点領域）を主な支点領域として所有している人たち
４９  後頭部の上方に位置する支点領域を主な支点領域として所有している人たち
５０  後頭部の上方下部に位置する支点領域を主な支点領域として所有している人たち
５１  後頭結節の上方に位置する支点領域を主な支点領域として所有している人たち
５２  後頭結節に位置する支点領域を主な支点領域として所有している人たち
５３  後方から見た図
５４  上方から見た図
５５  右側方から見た図
５６  低いか極めて低くて柔らかい枕を使用している人たちの睡眠姿勢
５７  枕を使用しないか、極めて低くて柔らかい枕を使用している人たちの睡眠姿勢（ただし、後頭部が平らになっている人は、極めて低くて上方部だけが極めて硬い枕を使用している。）
５８  極めて低いか、低くて柔らかい枕を使用している人たちの睡眠姿勢（時々、この人たちは、枕を使用しない。）
５９  比較的高くて、比較的硬く比較的しっかりした素材でできた枕を使用している人たちの睡眠姿勢
６０  高い枕か極めて高くて、比較的硬く（あるいは硬い）しっかりした素材でできた枕を使用している人たちの睡眠姿勢
６１  頚部の中央に位置する支点領域と後頭部の上方下部に位置する支点領域を主な支点領域として所有している人たち
６２  頚部の中央に位置する支点領域と後頭結節の上方に位置する支点領域を主な支点領域として所有している人たち
６３  頚部の中央に位置する支点領域と後頭結節に位置する支点領域を主な支点領域として所有している人たち
６４  首の付け根の側方に位置する支点領域と頚部の側方に位置する支点領域を主な支点領域として所有している人たち（表示は、上記した支点領域に加えて、さらに後頭結節に位置する支点領域を所有している人の場合を取り上げてある。）
６５  肩の背面に位置する支点領域を主な支点領域として所有している人たち（表示は、上記した支点領域に加えて、さらに後頭部の上方下部に位置する支点領域と下顎に位置する支点領域を所有している人の場合を取り上げてある。）
６６  第７頚椎の直上に位置する支点領域と肩の背面に位置する支点領域を主な支点領域として所有している人たち（表示は、上記した支点領域に加えて、さらに後頭部の上方に位置する支点領域を所有している人の場合を取り上げてある。）
６７  極めて低いか、低くて柔らかい枕を使用している人たちの睡眠姿勢（この人たちは、頚部の中央が高くなった枕を使用している。）
６８  比較的高くて、比較的硬く比較的しっかりした素材でできた枕を使用している人たちの睡眠姿勢（この人たちは、頚部の中央が高くなった枕を使用している。）
６９  高い枕か極めて高くて、比較的硬く（あるいは硬い）しっかりした素材でできた枕を使用している人たちの睡眠姿勢（この人たちは、頚部の中央が高くなった枕を使用している。）
７０  高い枕か極めて高くて、比較的硬く（あるいは硬い）しっかりした素材でできた枕を使用している人たちの睡眠姿勢（これらの人たちは、肩の上部に枕を乗せ、首の付け根の側方に方向性のある強い圧力を加えている。）
７１  比較的高いか高くて比較的柔らかく、大きな枕を使用している人たちの睡眠姿勢（これらの人たちは、複数の枕を使用する場合が多い。）
７２  枕を使用せず、マットレスから頭部を床などに落として睡眠をとっている人たち睡眠姿勢（この人たちにとって、マットレスと床が巨大な枕である。）
７３  頚部の側方に位置する支点領域
７４  すべての歯が極めて小さな人
７５  頚部の側方に位置する支点領域の全域に方向性のある強い圧力を加えることができる枕（流動性の極めて高い性状の枕か変形させやすい性状の枕）
７６  すべての歯が極めて大きな人
７７  頚部の側方に位置する支点領域に方向性のある強い圧力を加えることができない枕（流動性のない硬い枕か変形させ難い枕）
７８  大きな歯が多くて小さな歯が少ない人（表示は、下顎の右第１大臼歯と上顎右犬歯と下顎右犬歯の３本だけが小さい人の場合を取り上げてある。）
７９  小さな歯が多くて大きな歯が少ない人（表示は、下顎の左右第３大臼歯だけが極めて大きい人の場合を取り上げてある。）
８０  頚部の側方に位置する支点領域のいくつかの部分に方向性のある強い圧力を加えることができる枕（この人たちのほとんどが、流動性の低い枕か比較的変形させ難い枕を使用して枕の上に置いた指の特定部分でこの圧力を発生させている。）
８１  小さな歯が多くて大きな歯が少ない人（表示は、下顎左右の第３大臼歯だけが小さい人の場合を取り上げてある。）
８２  頚部の側方に位置する支点領域の比較的広い部分に方向性のある強い圧力を加えることができる枕（比較的流動性のある枕か比較的変形させ易い枕）
８３  この部分は、上下の右中切歯（乳歯の場合、右乳中切歯）の大きさに関係する。
８４  この部分は、上下の右側切歯（乳歯の場合、右乳側切歯）の大きさに関係する。
８５  この部分は、上下の右犬歯（乳歯の場合、右乳犬歯）の大きさに関係する。
８６  この部分は、上下の右第１小臼歯（乳歯の場合、右第１乳臼歯）の大きさに関係する。
８７  この部分は、上下の右第２小臼歯（乳歯の場合、右第２乳臼歯）の大きさに関係する。
８８  この部分は、上下の右第１大臼歯の大きさに関係する。
８９  この部分は、上下の右第２大臼歯の大きさに関係する。
９０  この部分は、上下の右第３大臼歯の大きさに関係する。
９１  この部分は、上顎の右中切歯（乳歯の場合、右乳中切歯）の大きさに関係する。
９２  この部分は、下顎の右中切歯（乳歯の場合、右乳中切歯）の大きさに関係する。
９３  この部分は、上顎の右側切歯（乳歯の場合、右乳側切歯）の大きさに関係する。
９４  この部分は、下顎の右側切歯（乳歯の場合、右乳側切歯）の大きさに関係する。
９５  この部分は、上顎の右犬歯（乳歯の場合、右乳犬歯）の大きさに関係する。
９６  この部分は、下顎の右犬歯（乳歯の場合、右乳犬歯）の大きさに関係する。
９７  この部分は、上顎の右第１小臼歯（乳歯の場合、右第１乳臼歯）の大きさに関係する。
９８  この部分は、下顎の右第１小臼歯（乳歯の場合、右第１乳臼歯）の大きさに関係する。
９９  この部分は、上顎の右第２小臼歯（乳歯の場合、右第２乳臼歯）の大きさに関係する。
１００  この部分は、下顎の右第２小臼歯（乳歯の場合、右第２乳臼歯）の大きさに関係する。
１０１  この部分は、上顎の右第１大臼歯の大きさに関係する。
１０２  この部分は、下顎の右第１大臼歯の大きさに関係する。
１０３  この部分は、上顎の右第２大臼歯の大きさに関係する。
１０４  この部分は、下顎の右第２大臼歯の大きさに関係する。
１０５  この部分は、上顎の右第３大臼歯の大きさに関係する。
１０６  この部分は、下顎の右第３大臼歯の大きさに関係する。
１０７  上下の右中切歯（乳歯の場合、右乳中切歯）の大きさに関係するこの部分は、次の位置にある。
横の上部は、下項線に沿ってあり、乳様突起の後方上部にある乳突孔から後頭鱗の上部に掛けての位置にある。
横の下部は、乳様突起の下部の後方から後頭鱗の下部に掛けての位置にある。
縦の前部は、乳突孔から第１頚椎の側方下部に掛けての位置にある。
縦の後部は、後頭鱗から第１頚椎の側方中段に掛けての位置にある。
１０８  上下の右側切歯（乳歯の場合、右乳側切歯）の大きさに関係するこの部分は、僧帽筋の外側で、後頭鱗から第１頚椎の側方を通り、第４頚椎の側方下部に至る位置にある。
１０９  上下の右犬歯（乳歯の場合、右乳犬歯）の大きさに関係するこの部分は、僧帽筋の外側で、第５頚椎の側方に位置する。
１１０  上下の右第１小臼歯（乳歯の場合、右第１乳臼歯）の大きさに関係するこの部分は、喉側寄りで、側方上部から第６頚椎の側方の中段を通って上方に転じ、乳様突起の下部に至る部分にある。
１１１  上下の右第２小臼歯（乳歯の場合、右第２乳臼歯）の大きさに関係するこの部分は、喉側寄りで、第１頚椎の側方上部から乳様突起の後方下部を通り、その上方に至る位置にある。
１１２  上下の右第１大臼歯の大きさに関係するこの部分は、やや喉側寄りで、乳突孔から第４頚椎の側方に掛けての位置にある。また、この部分は、上下の右中切歯（乳歯の場合、右乳中切歯）、上下の右側切歯（乳歯の場合、右乳側切歯）、上下の右第２大臼歯、上下の右第１小臼歯（乳歯の場合、右第１乳臼歯）と上下の右第２小臼歯（乳歯の場合、右第２乳臼歯）の大きさに関係する部分で囲まれている。
１１３  上下の右第２大臼歯の大きさに関係するこの部分は、やや喉側寄りで、第４頚椎の側方下部から第６頚椎の側方上部に掛けての位置にある。また、この部分は、上下の右側切歯（乳歯の場合、右乳側切歯）、右犬歯（乳歯の場合、右乳犬歯）、上下の右第１小臼歯（乳歯の場合、右第１乳臼歯）と右第１大臼歯の大きさに関係する部分で囲まれている。
１１４  上下の右第３大臼歯の大きさに関係するこの部分は、喉側寄りで、第６頚椎の側方上部から第７頚椎の側方下部に掛けての位置にある。
１１５  頚部の上方に位置する支点領域
１１６  極めて短い上顎前歯
１１７  この領域全体に方向性のある強い圧力を加えることができる形状の枕
１１８  比較的短い上顎前歯
１１９  この領域の一部分に方向性のある強い圧力を加えることができる形状の枕
１２０  極めて長い上顎前歯
１２１  この領域に方向性のある強い圧力を加えることができない形状の枕
１２２  下顎に位置する支点領域
１２３  極めて尖った臼歯
１２４  下顎に位置する支点領域に方向性のある強い圧力を加えることができる枕（流動性の高い枕か変形させやすい枕）
１２５  尖った臼歯
１２６  下顎に位置する支点領域に方向性のある強い圧力を比較的広い範囲で加えることができる枕（流動性の高い枕か変形させやすい枕）
１２７  噛む面が比較的なだらかな斜面を持った臼歯
１２８  下顎に位置する支点領域に方向性のある強い圧力を狭い範囲で加えることができる枕（比較的流動性の低い枕か、比較的変形させ難い枕）
１２９  噛む面が極めてなだらかな斜面を持った臼歯
１３０  下顎に位置する支点領域に方向性のある強い圧力を加えることができない枕（流動性の低い枕か変形させ難い枕）
１３１  上顎犬歯が歯列アーチからはみ出した位置にある歯列
１３２  側頭部に位置する支点領域
１３３  端が緩やかに高くなっていく枕で、首の角度を５５度前後の角度にした時に最も安定する枕
１３４  流動性が低く、端が強く高くなっている枕で、首の角度を１００度前後にした時に最も安定する枕
１３５  側頭部の上方に位置する支点領域
１３６  最も大きな上顎歯列アーチ（表示は、放物線状の上顎歯列アーチを便宜的に取り上げてある。）
１３７  流動性のない低い枕か極めて低い枕
１３８  最も小さい上顎歯列アーチ（表示は、放物線状の上顎歯列アーチを便宜的に取り上げてある。）
１３９  流動性の極めて高い枕か極めて変形させやすい枕
１４０  馬蹄形状の上顎歯列アーチ
１４１  中心部が凹んでいる枕で、首の角度を０度（真正面）にした時に最も安定する枕
１４２  平らで硬い枕（この枕を使用する人たちは、後頭部の一部が平らになっている。）
１４３  放物線状の上顎歯列アーチ
１４４  比較的平らな枕で、首の角度を１５度前後にした時に最も安定する枕
１４５  細長い形状の上顎歯列アーチ
１４６  耳の後方上部に位置する支点領域
１４７  端が高くなっていない枕で、首の角度を３０度前後にした時に最も安定する枕
１４８  前歯部で狭く、臼歯部に行くに従って広くなる形態の上顎歯列アーチ
１４９  前歯部で狭く、臼歯部に行くに従って極めて広くなる形態の上顎歯列アーチ
１５０  前歯部が平らな形態の上顎歯列アーチ（臼歯部の形態は、前歯部で狭く、臼歯部に行くに従って広くなる形態の上顎歯列アーチを便宜的に取り上げた。）
１５１  首の付け根の側方に位置する支点領域
１５２  オトガイの側方に位置する支点領域
１５３  上顎臼歯が下顎臼歯を被っている被蓋関係（正常）
１５４  オトガイの側方に位置する支点領域に枕を当てない使用方法（枕の性状に条件を必要としない）
１５５  オトガイの側方に位置する支点領域に枕を当てない使用方法（枕の性状に条件を必要としない）
１５６  片側性の交差咬合（左側）
１５７  変形させ易い枕か、比較的変形させやすく、やわらかい枕
１５８  片側性の交差咬合（右側）
１５９  変形させ易い枕か、比較的変形させやすく、やわらかい枕
１６０  両側性の交差咬合（左右）
１６１  肩の背面に位置する支点領域
１６２  唇側に傾斜した上下の前歯
１６３  強く唇側に傾斜した上下の前歯
１６４  大きくて、肩の背面の下部にまで接触させる枕（複数の枕を使用することが多い）
１６５  弱く唇側に傾斜した上下の前歯
１６６  肩の背面の上部に接触させる枕（複数の枕を使用することが多い）
１６７  舌側に傾斜した上下の前歯
１６８  首と肩の間に差し込み、抱きかかえるようにして使用できる枕
１６９  強く舌側に傾斜した上下の前歯
１７０  首と肩の間に差し込み、広い範囲で抱きかかえるようにして使用できる枕で、比較的柔らかく、変形させやすい枕
１７１  弱く舌側に傾斜した上下の前歯
１７２  首と肩の間に差し込み、狭い範囲で抱きかかえるようにして使用できる枕で、比較的硬い素材でできた枕
１７３  肩の背面に位置する支点領域と第７頚椎の直上に位置する支点領域を主な支点領域として所有している人たち
１７４  肩の背面に位置する支点領域と後頭部の上方に位置する支点領域を主な支点領域として所有している人たち
ただし、この人たちの誰もが、第７頚椎の直上に位置する支点領域を所有しないことを条件とする。
１７５  肩の背面に位置する支点領域と後頭部の上方下部に位置する支点領域を主な支点領域として所有している人たち
ただし、この人たちの誰もが、第７頚椎の直上に位置する支点領域を所有しないことを条件とする。
１７６  肩の背面に位置する支点領域と後頭結節の上方に位置する支点領域を主な支点領域として所有している人たち
１７７  肩の背面に位置する支点領域と後頭結節に位置する支点領域を主な支点領域として所有している人たち
１７８  首の付け根の側方に位置する支点領域と第７頚椎の直上に位置する支点領域を主な支点領域として所有している人たち
１７９  首の付け根の側方に位置する支点領域と後頭部の上方に位置する支点領域を主な支点領域として所有している人たち
ただし、この人たちの誰もが、第７頚椎の直上に位置する支点領域を所有しないことを条件とする。
１８０  首の付け根の側方に位置する支点領域と後頭部の上方下部に位置する支点領域を主な支点領域として所有している人たち
１８１  首の付け根の側方に位置する支点領域と後頭結節の上方に位置する支点領域を主な支点領域として所有している人たち
１８２  首の付け根の側方に位置する支点領域と後頭結節に位置する支点領域を主な支点領域として所有している人たち
１８３  枕を使用しないか、マットレスから頭部を床などに落として睡眠をとっている人たち（この人たちにとって、マットレスと床が巨大な枕である。）
１８４  極めて大きくて比較的高く、極めて柔らかい枕（多くの場合、枕の数は複数である。）
１８５  極めて大きくて比較的高く、柔らかい枕（多くの場合、枕の数は複数である。）
１８６  大きくて高く、比較的柔らかい枕（多くの場合、枕の数は複数である。）
１８７  大きくて極めて高く、比較的硬い枕で、縦幅が比較的短い枕（多くの場合、枕の数は複数である。）
１８８  首と肩の間に差し込み、抱きかかえるようにして使用できる枕で、極めて低く柔らかい枕
１８９  首と肩の間に差し込み、抱きかかえるようにして使用できる枕で、低いか、極めて低く、柔らかい枕
１９０  首と肩の間に差し込み、抱きかかえるようにして使用できる枕で、比較的高くて比較的硬く、比較的しっかりした素材でできている枕
１９１  首と肩の間に差し込み、抱きかかえるようにして使用できる枕で、高いか極めて高くて比較的硬く、縦幅が比較的短い枕
１９２  唇側に傾斜した上下の前歯と切端咬合
１９３  唇側に傾斜した上下の前歯と極めて浅い垂直被蓋
１９４  唇側に傾斜した上下の前歯と浅い垂直被蓋
１９５  唇側に傾斜した上下の前歯と比較的深い垂直被蓋
１９６  唇側に傾斜した上下の前歯と極めて深い垂直被蓋
１９７  舌側に傾斜した上下の前歯と極めて浅い垂直被蓋
１９８  舌側に傾斜した上下の前歯と浅い垂直被蓋
１９９  舌側に傾斜した上下の前歯と比較的深い垂直被蓋
２００  舌側に傾斜した上下の前歯と極めて深い垂直被蓋
２０１  唇側に傾斜した上下の前歯、広い空隙のある水平被蓋と比較的深い垂直被蓋
２０２  唇側に傾斜した上下の前歯、広い空隙のある水平被蓋と極めて深い垂直被蓋
２０３  舌側に傾斜した下顎の前歯、垂直的な上顎の前歯、広い空隙のある水平被蓋と極めて深い垂直被蓋
２０４  唇側に傾斜した上下顎前歯、遠心部がねじれて唇側に張り出していると同時に、近心部で切端咬合であるが、遠心部で狭い空隙を持っている上顎中切歯
２０５  唇側に傾斜した上下顎前歯、遠心部がねじれて唇側に張り出していると同時に、近心部で接触しているが、遠心部で狭い空隙を持っている上顎中切歯と浅い垂直被蓋
２０６  唇側に傾斜した上顎前歯、遠心部がねじれて唇側に張り出していると同時に、近心部で接触しているが、遠心部で狭い空隙を持っている上顎中切歯と比較的深い垂直被蓋
２０７  舌側に傾斜した下顎前歯、垂直的な下顎前歯、遠心部がねじれて唇側に張り出していると同時に近心部で接触しているが、遠心部で狭い空隙を持っている上顎中切歯と比較的深い垂直被蓋
２０８  唇側に傾斜した上下の前歯と弱い開咬
２０９  唇側に傾斜した上下の前歯、狭い空隙を持った前歯の水平被蓋と浅い垂直被蓋
２１０  唇側に傾斜した上下の前歯、狭い空隙を持った前歯の水平被蓋と比較的深い垂直被蓋
２１１  舌側に傾斜した下顎の前歯、垂直的な上顎の前歯、狭い空隙のある水平被蓋と比較的深い垂直被蓋
２１２  舌側に傾斜した下顎の前歯、垂直的な上顎の前歯、狭い空隙のある水平被蓋と極めて深い垂直被蓋
２１３（１２）  後頭部の上方に位置する支点領域：この支点領域は、上顎前歯に極めて浅い垂直被蓋を発生させる。ただし、誰もが、第７頚椎の直上に位置する支点領域を所有しないことを条件にする。この支点領域で中心部を除く部分は、上顎歯列アーチの形態を放物線状にするが、中心部を含んだ部分は、この形態を馬蹄形状にする。ただし、この場合、誰もが側頭部に位置する支点領域を所有しないことを条件にする。
また、この領域は枕の高さを決定し、この領域の所有者に極めて低い枕を使用させる。
２１４（１３５）  側頭部の上方に位置する支点領域：この支点領域は、大きな上顎歯列アーチを発生させる。頚部の側方に位置する支点領域を所有せず、この支点領域だけを広い範囲で所有する場合、この形態は極めて大きくなる。
また、この領域は枕の高さと形状を決定し、この領域の所有者に極めて低く、比較的平らな枕を使用させる。
２１５（１３２）  側頭部に位置する支点領域：この支点領域は、前歯部で狭く、臼歯部に行くに従って広くなる上顎歯列アーチを発生させる。
また、この領域は枕の高さを決定し、この領域の所有者に比較的高いか高い枕を使用させる。
２１６（１３）  後頭部の上方下部に位置する支点領域：この支点領域は、上顎前歯に浅い垂直被蓋を発生させる。この支点領域で中心部を除く部分は、上顎歯列アーチの形態を放物線状にするが、中心部を含んだ部分は、この形態を馬蹄形状にする。ただし、この場合、誰もが側頭部に位置する支点領域を所有しないことを条件にする。
また、この領域は枕の高さを決定し、この領域の所有者に低い枕か極めて低い枕を使用させる。
２１７（１４）  後頭結節の上方に位置する支点領域：この支点領域は、上顎前歯に比較的深い垂直被蓋を発生させる、この支点領域で中心部を除く部分は、上顎歯列アーチの形態を放物線状にするが、中心部を含んだ部分は、この形態を馬蹄形状にする。ただし、この場合、側頭部に位置する支点領域を所有しないことを条件にする。
また、この領域は主に枕の高さ、硬さと素材を決定し、この領域の所有者に比較的高くて比較的硬く、しっかりした枕を使用させる。
２１８（７３）  頚部の側方に位置する支点領域：この支点領域は、左右のそれぞれで、１６種類の歯を小さくさせる１６の部分に分かれ、特定部分で特定の歯を小さくさせる。また、この支点領域は、小さな上顎歯列アーチをも発生させる。
また、この領域は枕の素材と形状を決定し、この領域の所有者に極めて流動性があり、極めて変形させ易い枕か、流動性があり、変形させ易い枕を使用させる。
２１９（１５）  後頭結節に位置する支点領域：この支点領域は、上顎前歯に極めて深い垂直被蓋を発生させる。この支点領域で中心部を除く部分は、上顎歯列アーチの形態を放物線状にするが、中心部を含んだ部分は、この形態を馬蹄形状にする。ただし、この場合、側頭部に位置する支点領域を所有しないことを条件にする。
また、この領域は主に枕の高さ、硬さ、素材と形状を決定し、この領域の所有者に高いか、極めて高くて比較的硬く、しっかりした素材でできた枕を使用させる。
２２０（１１５）  頚部の上方に位置する支点領域：この支点領域は、短い上顎前歯を発生させる。ただし、この支点領域を広い範囲で所有することは、この歯を極めて短くさせるが、狭い場合は、この歯をより長くさせる。この支点領域をまったく所有しない場合、この歯は極めて長くなる。
また、この領域は主に枕の形状を決定し、この領域の所有者に頚部の上方が高くなった形状の枕を使用させる。
２２１（１６）  頚部の中央に位置する支点領域：この支点領域は、反対咬合を発生させる。ただし、この支点領域が右（左）側方にある場合は、右側（左側）前歯部の１、２本が反対咬合となる。
また、この領域は主に枕の形状を決定し、この領域の所有者に頚部の中央が高くなった形状の枕を使用させる。
２２２（１１）  第７頚椎の直上に位置する支点領域：この支点領域は、切端咬合を発生させる。ただし、この支点領域が右（あるいは左）側方にある場合は、右側（あるいは左側）前歯部の１、２本が切端咬合となる。
また、この領域は主に枕の形状を決定し、この領域の所有者にこの領域に当たる部分が高くなった枕を使用させる。
２２３（１５１）  頚の付け根の側方に位置する支点領域：この支点領域は、舌側に傾斜した上下の前歯を発生させる。さらに、この支点領域は、上顎歯列アーチの形態を前歯部で平らな形状にする。
また、この領域は主に枕の硬さと素材を決定し、この領域の所有者に首と肩の間に差し込み、抱きかかえるようにして使用できる枕を使用させる。
２２４（１６１）  肩の背面に位置する支点領域：この支点領域は、唇側に傾斜した上下の前歯を発生させる。
また、この領域は主に枕の大きさを決定し、この領域の所有者に極めて大きな枕を使用させる。
２２５（１２２）  下顎に位置する支点領域：この支点領域は、尖った臼歯を発生させる。ただし、この支点領域を両側に所有することを条件とする。この支点領域を全域で所有することは、極めて尖った臼歯になるが、狭い場合は、平らな臼歯になる。しかし、この支点領域をまったく所有しない場合、臼歯は極めて平らになる。
また、この領域は主に枕の素材を決定し、この領域の所有者に柔らかいか、比較的柔らかい枕を使用させる。
２２６（１５２）  オトガイの側方に位置する支点領域：この支点領域は、交差咬合を発生させる。ただし、この支点領域を右（あるいは左）の片側だけに所有すると、左（あるいは右）の片側性の交差咬合となるが、この支点領域を両側に所有すると、両側性（左右）の交差咬合となる。
また、この領域は主に枕の素材を決定し、この領域の所有者に柔らかいか、比較的柔らかい枕を使用させる。
２２７（１４６）  耳の後方上部に位置する支点領域：この支点領域は、細長い上顎歯列アーチを発生させる。ただし、側頭部に位置する支点領域を所有しないことを条件にする。
また、この領域は主に枕の形状を決定し、この領域の所有者に端が緩やかに高くなっていく枕で、首の角度を５５度前後の角度にした時に最も安定する枕を使用させる。
２２８（９１）  この部分は、上顎の右中切歯（乳歯の場合、上顎の右乳中切歯）を小さくさせる。
２２９（９２）  この部分は、下顎の右中切歯（乳歯の場合、下顎の右乳中切歯）を小さくさせる。
２３０（９３）  この部分は、上顎の右側切歯（乳歯の場合、上顎の右乳側切歯）を小さくさせる。
２３１（９４）  この部分は、下顎の右側切歯（乳歯の場合、下顎の右乳側切歯）を小さくさせる。
２３２（９５）  この部分は、上顎の右犬歯（乳歯の場合、上顎の右乳犬歯）を小さくさせる。
２３３（９６）  この部分は、下顎の右犬歯（乳歯の場合、下顎の右乳犬歯）を小さくさせる。
２３４（９７）  この部分は、上顎の第１小臼歯（乳歯の場合、上顎の右第１乳臼歯）を小さくさせる。
２３５（９８）  この部分は、下顎の右第１小臼歯（乳歯の場合、下顎の右第１乳臼歯）を小さくさせる。
２３６（９９）  この部分は、上顎の右第２小臼歯（乳歯の場合、上顎の右第２乳臼歯）を小さくさせる。
２３７（１００）  この部分は、下顎の右第２小臼歯（乳歯の場合、下顎の右第２乳臼歯）を小さくさせる。
２３８（１０１）  この部分は、上顎の右第１大臼歯を小さくさせる。
２３９（１０２）  この部分は、下顎の右第１大臼歯を小さくさせる。
２４０（１０３）  この部分は、上顎の右第２大臼歯を小さくさせる。
２４１（１０４）  この部分は、下顎の右第２大臼歯を小さくさせる。
２４２（１０５）  この部分は、上顎の右第３大臼歯を小さくさせる。
２４３（１０６）  この部分は、下顎の右第３大臼歯を小さくさせる。
２４４  後頭部の上方に位置する支点領域の中央部分に必要な方向性のある強い圧力は、口の中央（あるいは鼻）に向かう圧力であるが、この支点領域の側方部分に必要な圧力は、口の側方（あるいは鼻）に向かう圧力である。
２４５  側頭部の上方に位置する支点領域の上部に必要な方向性のある強い圧力は、口の側方に向かう圧力であるが、この支点領域の下部に必要な圧力は、鼻の側方に向かう圧力である。
２４６  側頭部に位置する支点領域の額に近い部分に必要な方向性のある強い圧力は、反対側の耳の上方に向かう圧力であるが、この支点領域の耳の上方部に必要な圧力は、鼻の側方に向かう圧力である。
２４７  後頭部の上方下部に位置する支点領域に必要な方向性のある強い圧力は、額付近に向かう圧力である。
２４８後頭結節の上方に位置する支点領域の中央部分に必要な方向性のある強い圧力は、鼻に向かう圧力であるが、この支点領域の側方部分に必要な圧力は、頬骨に向かう圧力である。
２４９  後頭結節に位置する支点領域の中央部分に必要な方向性のある強い圧力は、頭頂部の中央に向かう圧力であるが、この支点領域の側方部分に必要な圧力は、反対側の頭頂部に向かう圧力である。
２５０頚部の上方に位置する支点領域の中央部分に必要な方向性のある強い圧力は、口に向かう圧力であるが、この支点領域の側方部分に必要な圧力は、同一側の頬に向かう圧力である。
２５１  頚部の中央に位置する支点領域の中央部分に必要な方向性のある強い圧力は、甲状軟骨上方の中央に向かう圧力であるが、この支点領域の側方部分に必要な圧力は、同一側の甲状軟骨上方の側方に向かう圧力である。
２５２  第７頚椎の直上に位置する支点領域の中央部分に必要な方向性のある強い圧力は、胸部中央に向かう圧力であるが、この支点領域の側方部分に必要な圧力は、胸部側方に向かう圧力である。
２５３頚の付け根の側方に位置する支点領域に必要な方向性のある強い圧力は、反対側の胸部側方に向かう圧力である。
２５４  肩の背面に位置する支点領域に必要な方向性のある強い圧力は、鎖骨、あるいは鎖骨下部に向かう圧力である。
２５５  下顎に位置する支点領域の下顎骨体部の部分に必要な方向性のある強い圧力は、反対側の臼歯に向かう圧力であるが、この支点領域の頬骨の部分に必要な圧力は、反対側の耳の後ろに向かう圧力である。
２５６  オトガイの側方に位置する支点領域に必要な方向性のある強い圧力は、反対側の臼歯に向かう圧力である。
２５７  耳の後方上部に位置する支点領域に必要な方向性のある強い圧力は、反体側の額に向かう圧力である。
２５８  上下顎の中切歯を小さくさせる部分が必要とする方向性のある強い圧力は、反対側の目に向かう圧力である。
２５９  上下顎の側切歯を小さくさせる部分が必要とする方向性のある強い圧力は、反対側の額に向かう圧力である。
２６０  上下顎の犬歯を小さくさせる部分が必要とする方向性のある強い圧力は、反対側の口元に向かう圧力である。
２６１  上下顎の第１小臼歯犬歯を小さくさせる部分が必要とする方向性のある強い圧力は、同一側の目に向かう圧力である。
２６２  上下顎の第２小臼歯を小さくさせる部分が必要とする方向性のある強い圧力は、同一側の目と鼻の間に向かう圧力である。
２６３  上下顎の第１大臼歯を小さくさせる部分が必要とする方向性のある強い圧力は、同一側の目の下部に向かう圧力である。
２６４  上下顎の第２大臼歯を小さくさせる部分が必要とする方向性のある強い圧力は、同一側の目の上部に向かう圧力である。
２６５  上下顎の第３大臼歯を小さくさせる部分が必要とする方向性のある強い圧力は、同一側の鼻に向かう圧力である。
２６６  背面から見た図
２６７  上方から見た図
２６８  左側方から見た図
２６９  右側方から見た図
２７０  後方から見た図
２７１  左側方から見た図
２７２  右側方から見た図